(57)【特許請求の範囲】
【請求項１】
ワイヤレスデバイスを介して、地理的エリアに特有のライセンス可能アイテムにアクセスするための方法であって、前記ワイヤレスデバイスに、
前記ワイヤレスデバイスの第1のロケーションに対応する第1の地理的エリア内で使用可能な少なくとも1つのライセンス可能アイテムへのアクセスを取得するステップと、
前記ワイヤレスデバイスに接続されたサーバからネットワークを介して前記ライセンス可能アイテムをダウンロードするステップであって、前記ライセンス可能アイテムが、前記サーバによって、前記ライセンス可能アイテムを配布する権利を前記ワイヤレスデバイスに与えるライセンスに関連付けられる、ステップと、
配布する前記権利を使って、前記ライセンス可能アイテムの仮想コピーを、前記ワイヤレスデバイスの第2のロケーションに対応する第2の地理的エリア内に残すステップであって、前記ライセンス可能アイテムの前記仮想コピーが前記サーバにより前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、ステップと
を実行させる、方法。
【請求項２】
前記ライセンスが、地理的エリア、設定可能期間、またはそれらの任意の組合せのうちの1つの範囲内で前記ライセンス可能アイテムにアクセスする権利を前記ワイヤレスデバイスに与えることを特徴とする請求項1に記載の方法。
【請求項３】
前記地理的エリアが、1組の地理座標、ランドマーク、または中心点を囲む距離のうちの1つを囲むジオフェンスを含むことを特徴とする請求項2に記載の方法。
【請求項４】
前記地理的エリアが前記サーバにより動的に設定可能であることを特徴とする請求項3に記載の方法。
【請求項５】
前記ライセンスが、前記地理的エリアへの前記ワイヤレスデバイスの近接度に基づいて、前記ライセンス可能アイテムへの1つまたは複数のアクセスレベルを与えることを特徴とする請求項2に記載の方法。
【請求項６】
前記ライセンス可能アイテムへのアクセスレベルが、前記ワイヤレスデバイスが前記地理的エリアに近づくのに従って増すことを特徴とする請求項4に記載の方法。
【請求項７】
前記ワイヤレスデバイスにより、前記ライセンス可能アイテムにアクセスするための前記地理的エリアが近づいているという通知を前記サーバから受信するステップをさらに含むことを特徴とする請求項2に記載の方法。
【請求項８】
前記ワイヤレスデバイスが、前記地理的エリア、前記設定可能期間、またはそれらの任意の組合せのうち1つに関する閾を超えたときに通知を前記サーバから受信するステップをさらに含むことを特徴とする請求項2に記載の方法。
【請求項９】
前記閾が、前記ワイヤレスデバイスが前記地理的エリアに入ること、または前記ワイヤレスデバイスが前記地理的エリアを出ることのうちの1つであることを特徴とする請求項8に記載の方法。
【請求項１０】
前記通知が、ショートメッセージサービス(SMS)、マルチメディアメッセージングサービス(MMS)、電子メール通知、またはアプリケーション内メッセージ通信のうちの1つを含むことを特徴とする請求項7に記載の方法。
【請求項１１】
前記ワイヤレスデバイスにより、拡張現実を介して前記地理的エリアへの指示または方向を前記サーバから受信するステップをさらに含むことを特徴とする請求項7に記載の方法。
【請求項１２】
前記ライセンス可能アイテムへのアクセスを取得するステップが、前記ワイヤレスデバイスに、
前記ワイヤレスデバイスにより前記ライセンス可能アイテムへのアクセスを取得する前に、前記ワイヤレスデバイスによりクリティカルマス要件についての通知を前記サーバから受信するステップと、
前記クリティカルマス要件の発生時に、前記ライセンス可能アイテムへのアクセスを取得するステップと
をさらに実行させる、請求項1に記載の方法。
【請求項１３】
前記クリティカルマス要件が、前記ライセンス可能アイテムにアクセスしようと試みる、前記第2の地理的エリア内のワイヤレスデバイスの最小数、前記ライセンス可能アイテムにアクセスすることが可能な、前記第2の地理的エリア内のワイヤレスデバイスの最大数、前記ライセンス可能アイテムにアクセスするための設定可能期間、またはそれらの任意の組合せのうちの1つを含むことを特徴とする請求項12に記載の方法。
【請求項１４】
前記クリティカルマス要件が、前記ワイヤレスデバイスに関連付けられたユーザの特性に基づいて変化することを特徴とする請求項12に記載の方法。
【請求項１５】
前記クリティカルマス要件の値が、前記ライセンス可能アイテムの前記仮想コピーにアクセスしようと試みる別のワイヤレスデバイスに関連付けられたユーザ特性の関数であることを特徴とする請求項12に記載の方法。
【請求項１６】
ワイヤレスデバイスを介して、地理的エリアに特有のライセンス可能アイテムにアクセスするように構成された少なくとも1つのプロセッサであって、
前記ワイヤレスデバイスの第1のロケーションに対応する第1の地理的エリア内で使用可能な少なくとも1つのライセンス可能アイテムへのアクセスを取得するための第1のモジュールと、
前記ライセンス可能アイテムを前記ワイヤレスデバイスに接続されたサーバからネットワークを介してダウンロードするための第2のモジュールであって、前記ライセンス可能アイテムが、前記サーバによって、前記ライセンス可能アイテムを配布する権利を前記ワイヤレスデバイスに与えるライセンスに関連付けられる、第2のモジュールと、
配布する前記権利を使って、前記ライセンス可能アイテムの仮想コピーを、前記ワイヤレスデバイスの第2のロケーションに対応する第2の地理的エリア内に残すための第3のモジュールであって、前記ライセンス可能アイテムの前記仮想コピーが前記サーバによって前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、第3のモジュールとを備えることを特徴とするプロセッサ。
【請求項１７】
コンピュータに、ワイヤレスデバイスの第1のロケーションに対応する第1の地理的エリア内で使用可能な少なくとも1つのライセンス可能アイテムへのアクセスを取得させるための少なくとも1つの命令と、
前記コンピュータに、前記ライセンス可能アイテムを前記ワイヤレスデバイスに接続されたサーバからネットワークを介してダウンロードさせるための少なくとも1つの命令であって、前記ライセンス可能アイテムが、前記サーバによって、前記ライセンス可能アイテムを配布する権利を前記ワイヤレスデバイスに与えるライセンスに関連付けられる、命令と、
前記コンピュータに、配布する前記権利を使って、前記ライセンス可能アイテムの仮想コピーを、前記ワイヤレスデバイスの第2のロケーションに対応する第2の地理的エリア内に残させるための少なくとも1つの命令であって、前記ライセンス可能アイテムの前記仮想コピーが前記サーバによって前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、命令とを備えることを特徴とするコンピュータ可読記録媒体。
【請求項１８】
ワイヤレスデバイスの第1のロケーションに対応する第1の地理的エリア内で使用可能な少なくとも1つのライセンス可能アイテムへのアクセスを取得するための手段と、
前記ライセンス可能アイテムを前記ワイヤレスデバイスに接続されたサーバからネットワークを介してダウンロードするための手段であって、前記ライセンス可能アイテムが、前記サーバによって、前記ライセンス可能アイテムを配布する権利を前記ワイヤレスデバイスに与えるライセンスに関連付けられる、手段と、
配布する前記権利を使って、前記ライセンス可能アイテムの仮想コピーを、前記ワイヤレスデバイスの第2のロケーションに対応する第2の地理的エリア内に残すための手段であって、前記ライセンス可能アイテムの前記仮想コピーが前記サーバによって前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、手段とを備えることを特徴とする装置。
【請求項１９】
ワイヤレスデバイスを介して、地理的エリアに特有のライセンス可能アイテムにアクセスするための装置であって、
前記ワイヤレスデバイスの第1のロケーションに対応する第1の地理的エリア内で使用可能な少なくとも1つのライセンス可能アイテムへのアクセスを取得するように動作可能なライセンス可能アイテム検索構成要素と、
前記ライセンス可能アイテムを前記ワイヤレスデバイスに接続されたサーバからネットワークを介してダウンロードするように動作可能なライセンス可能アイテム要求構成要素であって、前記ライセンス可能アイテムが、前記ワイヤレスデバイスに接続されたサーバによってネットワークを介して、前記ライセンス可能アイテムを配布する権利を前記ワイヤレスデバイスに与えるライセンスに関連付けられる、ライセンス可能アイテム要求構成要素と、
配布する前記権利を使って、前記ライセンス可能アイテムの仮想コピーを、前記ワイヤレスデバイスの第2のロケーションに対応する第2の地理的エリア内に残すように動作可能な共有構成要素であって、前記ライセンス可能アイテムの前記仮想コピーが前記サーバによって前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、共有構成要素とを備えることを特徴とする装置。
【請求項２０】
前記ライセンスが、地理的エリア、設定可能期間、またはそれらの任意の組合せのうちの1つの範囲内で前記ライセンス可能アイテムにアクセスする権利を前記ワイヤレスデバイスに与えることを特徴とする請求項19に記載の装置。
【請求項２１】
前記地理的エリアが、1組の地理座標、ランドマーク、または中心点を囲む距離のうちの1つを囲むジオフェンスを含むことを特徴とする請求項20に記載の装置。
【請求項２２】
前記地理的エリアが前記サーバにより動的に設定可能であることを特徴とする請求項21に記載の装置。
【請求項２３】
前記ライセンスが、前記地理的エリアへの前記ワイヤレスデバイスの近接度に基づいて、前記ライセンス可能アイテムへの1つまたは複数のアクセスレベルを与えることを特徴とする請求項20に記載の装置。
【請求項２４】
前記ライセンス可能アイテムへのアクセスレベルが、前記ワイヤレスデバイスが前記地理的エリアに近づくのに従って増すことを特徴とする請求項22に記載の装置。
【請求項２５】
前記ライセンス可能アイテム検索構成要素が、前記ライセンス可能アイテムにアクセスするための前記地理的エリアが近づいているという通知を前記サーバから受信するようにさらに動作可能であることを特徴とする請求項20に記載の装置。
【請求項２６】
前記ライセンス可能アイテム検索構成要素が、前記ワイヤレスデバイスが、前記地理的エリア、前記設定可能期間、またはそれらの任意の組合せのうち1つに関する閾を超えたとき、前記サーバから通知を受信するようにさらに動作可能であることを特徴とする請求項20に記載の装置。
【請求項２７】
前記閾が、前記ワイヤレスデバイスが前記地理的エリアに入ること、または前記ワイヤレスデバイスが前記地理的エリアを出ることのうちの1つであることを特徴とする請求項26に記載の装置。
【請求項２８】
前記通知が、ショートメッセージサービス(SMS)、マルチメディアメッセージングサービス(MMS)、電子メール通知、またはアプリケーション内メッセージ通信のうちの1つを含むことを特徴とする請求項25に記載の装置。
【請求項２９】
前記ライセンス可能アイテム検索構成要素が、拡張現実構成要素により、前記地理的エリアへの指示または方向を前記サーバから受信するようにさらに動作可能であることを特徴とする請求項25に記載の装置。
【請求項３０】
前記ライセンス可能アイテム検索構成要素が、前記ライセンス可能アイテムへのアクセスを取得する前に、クリティカルマス要件についての通知を前記サーバから受信し、前記クリティカルマス要件の発生時に、前記ライセンス可能アイテムへのアクセスを取得するようにさらに動作可能であることを特徴とする請求項19に記載の装置。
【請求項３１】
前記クリティカルマス要件が、前記ライセンス可能アイテムにアクセスしようと試みる、前記第2の地理的エリア内のワイヤレスデバイスの最小数、前記ライセンス可能アイテムにアクセスすることが可能な、前記第2の地理的エリア内のワイヤレスデバイスの最大数、前記ライセンス可能アイテムにアクセスするための設定可能期間、またはそれらの任意の組合せのうちの1つを含むことを特徴とする請求項30に記載の装置。
【請求項３２】
前記クリティカルマス要件が、前記ワイヤレスデバイスに関連付けられたユーザの特性に基づいて変化することを特徴とする請求項30に記載の装置。
【請求項３３】
前記クリティカルマス要件の値が、前記ライセンス可能アイテムの前記仮想コピーにアクセスしようと試みる別のワイヤレスデバイスに関連付けられたユーザ特性の関数であることを特徴とする請求項30に記載の装置。
【請求項３４】
ワイヤレスデバイスに接続されたサーバによりネットワークを介して地理的エリア内でライセンス可能アイテムを前記ワイヤレスデバイスに配布するための方法であって、前記サーバに、
地理的エリア内の前記ワイヤレスデバイスのロケーションを受信するステップと、
前記地理的エリア内の1つまたは複数のライセンス可能アイテムの可用性を前記ワイヤレスデバイスに通知するステップと、
前記1つまたは複数のライセンス可能アイテムのうちの少なくとも1つにアクセスするための要求を前記ワイヤレスデバイスから受信するステップと、
ライセンスが前記要求されたライセンス可能アイテムに関連付けられているかどうかを判断するステップと、
前記ライセンスに基づいて、前記要求されたライセンス可能アイテムへのアクセスを前記ワイヤレスデバイスに与えるステップと、
前記要求されたライセンス可能アイテムにアクセスするための前記地理的エリアが近づいていることを前記ワイヤレスデバイスに通知するステップと、
を実行させ、
前記ワイヤレスデバイスが前記地理的エリアの近傍に移動すると、前記移動の方向に基づいて前記ライセンス可能アイテムへのアクセスレベルが増大する、
方法。
【請求項３５】
前記要求されたライセンス可能アイテムへのアクセスを与えるステップが、前記サーバにより、前記要求されたライセンス可能アイテムに地理的ロケーションを割り当てるステップをさらに含むことを特徴とする請求項34に記載の方法。
【請求項３６】
前記要求されたライセンス可能アイテムへのアクセスを与えるステップが、前記サーバに、
前記要求されたライセンス可能アイテムへのアクセスを与える前に、クリティカルマス要件の取得が必要とされるかどうかを判断するステップと、
前記ワイヤレスデバイスに前記クリティカルマス要件を通知するステップと、
前記クリティカルマス要件の発生時に、前記要求されたライセンス可能アイテムへのアクセスを前記ワイヤレスデバイスに与えるステップと
をさらに実行させる、請求項34に記載の方法。
【請求項３７】
前記クリティカルマス要件が、前記要求されたライセンス可能アイテムにアクセスしようと試みる、第2の地理的エリア内のワイヤレスデバイスの最小数、前記要求されたライセンス可能アイテムにアクセスすることが可能な、前記第2の地理的エリア内のワイヤレスデバイスの最大数、前記要求されたライセンス可能アイテムにアクセスするための設定可能期間、またはそれらの任意の組合せのうちの1つを含むことを特徴とする請求項36に記載の方法。
【請求項３８】
前記クリティカルマス要件が、前記ワイヤレスデバイスに関連付けられたユーザの特性に基づいて変化することを特徴とする請求項36に記載の方法。
【請求項３９】
前記クリティカルマス要件の値が、前記要求されたライセンス可能アイテムの仮想コピーにアクセスしようと試みる別のワイヤレスデバイスに関連付けられたユーザ特性の関数であることを特徴とする請求項36に記載の方法。
【請求項４０】
前記ワイヤレスデバイスが前記地理的エリアに関する閾を超えたとき、前記ワイヤレスデバイスに通知するステップをさらに含むことを特徴とする請求項34に記載の方法。
【請求項４１】
前記閾が、前記ワイヤレスデバイスが前記地理的エリアに入ること、または前記ワイヤレスデバイスが前記地理的エリアを出ることのうちの1つであることを特徴とする請求項40に記載の方法。
【請求項４２】
前記通知が、ショートメッセージサービス(SMS)、マルチメディアメッセージングサービス(MMS)、電子メール通知、またはアプリケーション内メッセージ通信のうちの1つを送ることを含むことを特徴とする請求項34に記載の方法。
【請求項４３】
前記ワイヤレスデバイスに通知するステップが、前記地理的エリアへの指示または方向を前記ワイヤレスデバイスに与えるステップをさらに含むことを特徴とする請求項34に記載の方法。
【請求項４４】
地理的エリア内でライセンス可能アイテムを配布するように構成された少なくとも1つのプロセッサであって、
地理的エリア内のワイヤレスデバイスのロケーションを受信するための第1のモジュールと、
前記地理的エリア内の1つまたは複数のライセンス可能アイテムの可用性を前記ワイヤレスデバイスに通知するための第2のモジュールと、
前記1つまたは複数のライセンス可能アイテムのうちの少なくとも1つにアクセスするための要求を前記ワイヤレスデバイスから受信するための第3のモジュールと、
ライセンスが、前記要求されたライセンス可能アイテムに関連付けられているかどうか判断するための第4のモジュールと、
前記ライセンスに基づいて、前記要求されたライセンス可能アイテムへのアクセスを前記ワイヤレスデバイスに与えるための第5のモジュールと、
前記要求されたライセンス可能アイテムにアクセスするための前記地理的エリアが近づいていることを前記ワイヤレスデバイスに通知するための第6のモジュールと、
を備え、
前記ワイヤレスデバイスが前記地理的エリアの近傍に移動すると、前記移動の方向に基づいて前記ライセンス可能アイテムへのアクセスレベルが増大する、
ことを特徴とするプロセッサ。
【請求項４５】
コンピュータに、地理的エリア内のワイヤレスデバイスのロケーションを受信させるための少なくとも1つの命令と、
前記コンピュータに、前記地理的エリアでの1つまたは複数のライセンス可能アイテムの可用性を前記ワイヤレスデバイスに通知させるための少なくとも1つの命令と、
前記コンピュータに、前記1つまたは複数のライセンス可能アイテムのうち少なくとも1つにアクセスするための要求を前記ワイヤレスデバイスから受信させるための少なくとも1つの命令と、
前記コンピュータに、ライセンスが前記要求されたライセンス可能アイテムに関連付けられているかどうか判断させるための少なくとも1つの命令と、
前記コンピュータに、前記ライセンスに基づいて、前記要求されたライセンス可能アイテムへのアクセスを前記ワイヤレスデバイスに与えさせるための少なくとも1つの命令と、
前記要求されたライセンス可能アイテムにアクセスするための前記地理的エリアが近づいていることを前記ワイヤレスデバイスに通知するための少なくとも1つの命令と、
を備え、
前記ワイヤレスデバイスが前記地理的エリアの近傍に移動すると、前記移動の方向に基づいて前記ライセンス可能アイテムへのアクセスレベルが増大する、
ことを特徴とするコンピュータ可読記録媒体。
【請求項４６】
地理的エリア内のワイヤレスデバイスのロケーションを受信するための手段と、
前記地理的エリア内の1つまたは複数のライセンス可能アイテムの可用性を前記ワイヤレスデバイスに通知するための手段と、
前記1つまたは複数のライセンス可能アイテムのうちの少なくとも1つにアクセスするための要求を前記ワイヤレスデバイスから受信するための手段と、
ライセンスが、前記要求されたライセンス可能アイテムに関連付けられているかどうかを判断するための手段と、
前記ライセンスに基づいて、前記要求されたライセンス可能アイテムへのアクセスを前記ワイヤレスデバイスに与えるための手段と、
前記要求されたライセンス可能アイテムにアクセスするための前記地理的エリアが近づいていることを前記ワイヤレスデバイスに通知するための手段と、
を備え、
前記ワイヤレスデバイスが前記地理的エリアの近傍に移動すると、前記移動の方向に基づいて前記ライセンス可能アイテムへのアクセスレベルが増大する、
ことを特徴とする装置。
【請求項４７】
地理的エリア内でライセンス可能アイテムを配布するための装置であって、
地理的エリア内のワイヤレスデバイスのロケーションを受信するように動作可能なライセンス可能アイテム配布構成要素と、
前記地理的エリア内の1つまたは複数のライセンス可能アイテムの可用性についての通知と、前記要求されたライセンス可能アイテムにアクセスするための前記地理的エリアが近づいていることを前記ワイヤレスデバイスに通知を前記ワイヤレスデバイスに送るように動作可能な通知構成要素とを備え、
ライセンス可能アイテム配布構成要素が、前記1つまたは複数のライセンス可能アイテムのうち少なくとも1つにアクセスするための要求を前記ワイヤレスデバイスから受信し、ライセンスが前記要求されたライセンス可能アイテムに関連付けられているかどうか判断し、前記ライセンスに基づいて、前記要求されたライセンス可能アイテムへのアクセスを前記ワイヤレスデバイスに与えるようにさらに動作可能であり、
前記ワイヤレスデバイスが前記地理的エリアの近傍に移動すると、前記移動の方向に基づいて前記ライセンス可能アイテムへのアクセスレベルが増大する、
ことを特徴とする装置。
【請求項４８】
前記ライセンス可能アイテム配布構成要素が、前記ライセンス可能アイテムに地理的ロケーションを割り当てるようにさらに動作可能であることを特徴とする請求項47に記載の装置。
【請求項４９】
前記ライセンス可能アイテム配布構成要素が、前記要求されたライセンス可能アイテムへのアクセスを与える前に、クリティカルマス要件の取得が必要とされるかどうかを判断し、前記クリティカルマス要件の発生時に、前記要求されたライセンス可能アイテムへのアクセスを前記ワイヤレスデバイスに与えるようにさらに動作可能であり、
前記通知構成要素が、前記クリティカルマス要件についての通知を前記ワイヤレスデバイスに送るようにさらに動作可能であることを特徴とする請求項47に記載の装置。
【請求項５０】
前記クリティカルマス要件が、前記要求されたライセンス可能アイテムにアクセスしようと試みる、第2の地理的エリア内のワイヤレスデバイスの最小数、前記要求されたライセンス可能アイテムにアクセスすることが可能な、前記第2の地理的エリア内のワイヤレスデバイスの最大数、前記要求されたライセンス可能アイテムにアクセスするための設定可能期間、またはそれらの任意の組合せのうちの1つを含むことを特徴とする請求項49に記載の装置。
【請求項５１】
前記クリティカルマス要件が、前記ワイヤレスデバイスに関連付けられたユーザの特性に基づいて変化することを特徴とする請求項49に記載の装置。
【請求項５２】
前記クリティカルマス要件の値が、前記ライセンス可能アイテムの仮想コピーにアクセスしようと試みる別のワイヤレスデバイスに関連付けられたユーザ特性の関数であることを特徴とする請求項49に記載の装置。
【請求項５３】
前記通知構成要素が、前記要求されたライセンス可能アイテムにアクセスするための前記地理的エリアが近づいているとき、前記通知を送るようにさらに動作可能であることを特徴とする請求項47に記載の装置。
【請求項５４】
前記通知構成要素が、前記ワイヤレスデバイスが閾を超えたとき、前記通知を送るようにさらに動作可能であることを特徴とする請求項47に記載の装置。
【請求項５５】
前記閾が、前記ワイヤレスデバイスが前記地理的エリアに入ること、または前記ワイヤレスデバイスが前記地理的エリアを出ることのうちの1つであることを特徴とする請求項54に記載の装置。
【請求項５６】
前記通知が、ショートメッセージサービス(SMS)、マルチメディアメッセージングサービス(MMS)、電子メール通知、またはアプリケーション内メッセージ通信のうちの1つを送ることを含むことを特徴とする請求項47に記載の装置。
【請求項５７】
前記通知構成要素が、前記地理的エリアへの指示または方向を有する前記通知を送るようにさらに動作可能であることを特徴とする請求項47に記載の装置。
【請求項５８】
ワイヤレスデバイスにより地理的エリアに特有のライセンス可能アイテムにアクセスするための方法であって、前記ワイヤレスデバイスに、
クリティカルマス要件の発生に基づいて、前記ワイヤレスデバイスの第1のロケーションに対応する第1の地理的エリア内で使用可能な少なくとも1つのライセンス可能アイテムへのアクセスを取得するステップと、
前記ワイヤレスデバイスに接続されたサーバからネットワークを介して前記ライセンス可能アイテムをダウンロードするステップであって、前記ライセンス可能アイテムが、前記サーバにより、前記ライセンス可能アイテムを配布する権利を前記ワイヤレスデバイスに与えるライセンスに関連付けられる、ステップと、
配布する前記権利を使って、前記ライセンス可能アイテムの仮想コピーを、前記ワイヤレスデバイスの第2のロケーションに対応する第2の地理的エリア内に残すステップであって、前記ライセンス可能アイテムの前記仮想コピーが前記サーバにより前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、ステップと
を実行させることを特徴とする方法。
【請求項５９】
前記クリティカルマス要件が、前記ライセンス可能アイテムにアクセスしようと試みる、前記第2の地理的エリア内のワイヤレスデバイスの最小数、前記ライセンス可能アイテムにアクセスすることが可能な、前記第2の地理的エリア内のワイヤレスデバイスの最大数、前記ライセンス可能アイテムにアクセスするための設定可能期間、またはそれらの任意の組合せのうちの1つを含むことを特徴とする請求項58に記載の方法。
【請求項６０】
前記ライセンス可能アイテムへのアクセスを取得する前に、前記ワイヤレスデバイスにより前記クリティカルマス要件についての通知を前記サーバから受信するステップをさらに含むことを特徴とする請求項58に記載の方法。
【請求項６１】
前記クリティカルマス要件が、前記ワイヤレスデバイスに関連付けられたユーザの特性に基づいて変化することを特徴とする請求項58に記載の方法。
【請求項６２】
前記クリティカルマス要件の値が、前記ライセンス可能アイテムの前記仮想コピーにアクセスしようと試みる別のワイヤレスデバイスに関連付けられたユーザ特性の関数であることを特徴とする請求項58に記載の方法。
【請求項６３】
ワイヤレスデバイスを介して、地理的エリアに特有のライセンス可能アイテムにアクセスするように構成された少なくとも1つのプロセッサであって、
クリティカルマス要件の発生に基づいて、前記ワイヤレスデバイスの第1のロケーションに対応する第1の地理的エリア内で使用可能な少なくとも1つのライセンス可能アイテムへのアクセスを取得するための第1のモジュールと、
前記ライセンス可能アイテムを前記ワイヤレスデバイスに接続されたサーバからネットワークを介してダウンロードするための第2のモジュールであって、前記ライセンス可能アイテムが、前記サーバによって、前記ライセンス可能アイテムを配布する権利を前記ワイヤレスデバイスに与えるライセンスに関連付けられる、第2のモジュールと、
配布する前記権利を使って、前記ライセンス可能アイテムの仮想コピーを、前記ワイヤレスデバイスの第2のロケーションに対応する第2の地理的エリア内に残すための第3のモジュールであって、前記ライセンス可能アイテムの前記仮想コピーが前記サーバにより前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、第3のモジュールとを備えることを特徴とするプロセッサ。
【請求項６４】
コンピュータに、クリティカルマス要件の発生に基づいて、ワイヤレスデバイスの第1のロケーションに対応する第1の地理的エリア内で使用可能な少なくとも1つのライセンス可能アイテムへのアクセスを取得させるための少なくとも1つの命令と、
前記コンピュータに、前記ライセンス可能アイテムを前記ワイヤレスデバイスに接続されたサーバからネットワークを介してダウンロードさせるための少なくとも1つの命令であって、前記ライセンス可能アイテムが、前記サーバによって、前記ライセンス可能アイテムを配布する権利を前記ワイヤレスデバイスに与えるライセンスに関連付けられる、命令と、
前記コンピュータに、配布する前記権利を使って、前記ライセンス可能アイテムの仮想コピーを、前記ワイヤレスデバイスの第2のロケーションに対応する第2の地理的エリア内に残させるための少なくとも1つの命令であって、前記ライセンス可能アイテムの前記仮想コピーが前記サーバにより前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、命令とを備えることを特徴とするコンピュータ可読記録媒体。
【請求項６５】
クリティカルマス要件の発生に基づいて、ワイヤレスデバイスの第1のロケーションに対応する第1の地理的エリア内で使用可能な少なくとも1つのライセンス可能アイテムへのアクセスを取得するための手段と、
前記ライセンス可能アイテムを前記ワイヤレスデバイスに接続されたサーバからネットワークを介してダウンロードするための手段であって、前記ライセンス可能アイテムが、前記サーバによって、前記ライセンス可能アイテムを配布する権利を前記ワイヤレスデバイスに与えるライセンスに関連付けられる、手段と、
配布する前記権利を使って、前記ライセンス可能アイテムの仮想コピーを、前記ワイヤレスデバイスの第2のロケーションに対応する第2の地理的エリア内に残すための手段であって、前記ライセンス可能アイテムの前記仮想コピーが前記サーバにより前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、手段とを備えることを特徴とする装置。
【請求項６６】
ワイヤレスデバイスを介して、地理的エリアに特有のライセンス可能アイテムにアクセスするための装置であって、
クリティカルマス要件の発生に基づいて、前記ワイヤレスデバイスの第1のロケーションに対応する第1の地理的エリア内で使用可能な少なくとも1つのライセンス可能アイテムへのアクセスを取得するように動作可能なライセンス可能アイテム検索構成要素と、
前記ライセンス可能アイテムを前記ワイヤレスデバイスに接続されたサーバからネットワークを介してダウンロードするように動作可能なライセンス可能アイテム要求構成要素であって、前記ライセンス可能アイテムが、前記サーバによって、前記ライセンス可能アイテムを配布する権利を前記ワイヤレスデバイスに与えるライセンスに関連付けられる、ライセンス可能アイテム要求構成要素と、
配布する前記権利を使って、前記ライセンス可能アイテムの仮想コピーを、前記ワイヤレスデバイスの第2のロケーションに対応する第2の地理的エリア内に残すように動作可能な共有構成要素であって、前記ライセンス可能アイテムの前記仮想コピーが前記サーバにより前記ライセンスに関連付けられ、前記ライセンスが、前記第2の地理的エリアにおける前記ライセンス可能アイテムの前記仮想コピーにアクセスし、前記ライセンス可能アイテムの前記仮想コピーを再配布する権利を別のワイヤレスデバイスにさらに与える、共有構成要素とを備えることを特徴とする装置。
【請求項６７】
前記クリティカルマス要件が、前記ライセンス可能アイテムにアクセスしようと試みる、前記第2の地理的エリア内のワイヤレスデバイスの最小数、前記ライセンス可能アイテムにアクセスすることが可能な、前記第2の地理的エリア内のワイヤレスデバイスの最大数、前記ライセンス可能アイテムにアクセスするための設定可能期間、またはそれらの任意の組合せのうちの1つを含むことを特徴とする請求項66に記載の装置。
【請求項６８】
前記ライセンス可能アイテム検索構成要素が、前記ライセンス可能アイテムへのアクセスを取得する前に、前記クリティカルマス要件についての通知を前記サーバから受信するようにさらに動作可能であることを特徴とする請求項66に記載の装置。
【請求項６９】
前記クリティカルマス要件が、前記ワイヤレスデバイスに関連付けられたユーザの特性に基づいて変化することを特徴とする請求項66に記載の装置。
【請求項７０】
前記クリティカルマス要件の値が、前記ライセンス可能アイテムの前記仮想コピーにアクセスしようと試みる別のワイヤレスデバイスに関連付けられたユーザ特性の関数であることを特徴とする請求項66に記載の装置。
【発明の詳細な説明】
【技術分野】
【０００１】
米国特許法第119条による優先権の主張
本特許出願は、本出願の譲受人に譲渡され、参照により本明細書に明確に組み込まれる、2010年10月29日に出願された「Methods and Systems for Accessing Content in a Geographical Area」と題する米国仮出願第61/408,397号の優先権を主張する。
【背景技術】
【０００２】
今日の世界では、ワイヤレス通信システムが広範囲に展開されて、たとえば音声、ビデオ、音楽、テキストおよびデータを含む様々なタイプのコンテンツが提供されている。セルラー電話またはワイヤレス接続機能を有するハンドヘルドデバイスのようなワイヤレスデバイスが展開され、ユーザが互いに通信し対話するために、ワイヤレス通信システムが活用されている。
【０００３】
デジタルコンテンツやサービスなどのライセンス可能アイテムの公開者および所有者は、ワイヤレスデバイスのユーザに対して、プロモーション、割引、または他の配布キャンペーンを行って、公開者のライセンス可能アイテムへの興味を促し、生じさせたい場合がある。ただし、公開者は、システムのすべてのユーザに適用するためのプロモーションは望まない場合がある。したがって、たとえば、ロケーションに基づいて、アイテムにライセンスを与える必要がある。ロケーションに基づく、アイテムへのライセンシングは、ライセンス可能アイテムの所有者にとって、強力なプロモーションツールとなり得る。ライセンスを特定のエリアに限定することによって、公開者は、ライセンス可能アイテムを使う可能性が比較的高いユーザを、プロモーションキャンペーンのターゲットとすることができる。たとえば、公開者が、新たなスポーツアプリケーションを作成した場合、プロモーションキャンペーンは、スポーツイベントにいるユーザに限定され得る。さらに、ロケーションに基づいて、ライセンス可能アイテムへの特別なアクセスを与えることにより、ライセンス可能アイテムに、面白さと独自性という要素が生じ得る。さらに、ライセンス可能アイテムの所有者は、ライセンス可能アイテムを配布する権利をユーザに与えたい場合がある。したがって、当該分野において、配布の権利を伴うライセンスをライセンス可能アイテムに与え、それにより、様々なロケーションにいる複数のユーザに迅速にライセンス可能アイテムが再配布されるようにする必要がある。
【発明の概要】
【課題を解決するための手段】
【０００４】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００５】
一態様は、ワイヤレスデバイスを介して、地理的エリアに特有のライセンス可能アイテムにアクセスするための方法に関する。この方法は、ワイヤレスデバイスの第1のロケーションに対応する第1の地理的エリア内で使用可能な少なくとも1つのライセンス可能アイテムへのアクセスを取得するステップを含み得る。この方法は、ライセンス可能アイテムをダウンロードするステップも含み得る。ライセンス可能アイテムは、ライセンス可能アイテムを配布する権利をワイヤレスデバイスに与えるライセンスに関連付けられる。さらに、この方法は、配布する権利を使って、ライセンス可能アイテムの仮想コピーを、ワイヤレスデバイスの第2のロケーションに対応する第2の地理的エリア内に残すステップを含み得る。ライセンス可能アイテムの仮想コピーは、ライセンスに関連付けられる。ライセンスはさらに、第2の地理的エリア内のライセンス可能アイテムの仮想コピーにアクセスし、ライセンス可能アイテムの仮想コピーを再配布する権利を、別のワイヤレスデバイスに与える。
【０００６】
別の態様は、ワイヤレスデバイスを介して、地理的エリアに特有のライセンス可能アイテムにアクセスするように構成された少なくとも1つのプロセッサに関する。このプロセッサは、ワイヤレスデバイスの第1のロケーションに対応する第1の地理的エリア内で使用可能な少なくとも1つのライセンス可能アイテムへのアクセスを取得するための第1のモジュールを含み得る。さらに、このプロセッサは、ライセンス可能アイテムをダウンロードするための第2のモジュールを含み得る。ライセンス可能アイテムは、ライセンス可能アイテムを配布する権利をワイヤレスデバイスに与えるライセンスに関連付けられる。プロセッサは、配布する権利を使って、ライセンス可能アイテムの仮想コピーを、ワイヤレスデバイスの第2のロケーションに対応する第2の地理的エリア内に残すための第3のモジュールをさらに含み得る。ライセンス可能アイテムの仮想コピーは、ライセンスに関連付けられる。ライセンスはさらに、第2の地理的エリア内のライセンス可能アイテムの仮想コピーにアクセスし、ライセンス可能アイテムの仮想コピーを再配布する権利を、別のワイヤレスデバイスに与える。
【０００７】
さらに別の態様は、コンピュータプログラム製品に関する。コンピュータプログラム製品は、コンピュータに、ワイヤレスデバイスの第1のロケーションに対応する第1の地理的エリア内で使用可能な少なくとも1つのライセンス可能アイテムへのアクセスを取得させるための少なくとも1つの命令を含むコンピュータ可読媒体を含み得る。コンピュータ可読媒体はまた、コンピュータに、ライセンス可能アイテムをダウンロードさせるための少なくとも1つの命令を含み得る。ライセンス可能アイテムは、ライセンス可能アイテムを配布する権利をワイヤレスデバイスに与えるライセンスに関連付けられる。コンピュータ可読媒体は、コンピュータに、配布する権利を使って、ライセンス可能アイテムの仮想コピーを、ワイヤレスデバイスの第2のロケーションに対応する第2の地理的エリアに残させるための少なくとも1つの命令をさらに含み得る。ライセンス可能アイテムの仮想コピーは、ライセンスに関連付けられる。ライセンスはさらに、第2の地理的エリア内のライセンス可能アイテムの仮想コピーにアクセスし、ライセンス可能アイテムの仮想コピーを再配布する権利を、別のワイヤレスデバイスに与える。
【０００８】
別の態様は、装置に関する。この装置は、ワイヤレスデバイスの第1のロケーションに対応する第1の地理的エリア内で使用可能な少なくとも1つのライセンス可能アイテムへのアクセスを取得するための手段を含み得る。この装置は、ライセンス可能アイテムをダウンロードするための手段をさらに含み得る。ライセンス可能アイテムは、ライセンス可能アイテムを配布する権利をワイヤレスデバイスに与えるライセンスに関連付けられる。さらに、この装置は、配布する権利を使って、ライセンス可能アイテムの仮想コピーを、ワイヤレスデバイスの第2のロケーションに対応する第2の地理的エリア内に残すための手段を含み得る。ライセンス可能アイテムの仮想コピーは、ライセンスに関連付けられる。ライセンスはさらに、第2の地理的エリア内のライセンス可能アイテムの仮想コピーにアクセスし、ライセンス可能アイテムの仮想コピーを再配布する権利を、別のワイヤレスデバイスに与える。
【０００９】
さらに別の態様は、ワイヤレスデバイスを介して、地理的エリアに特有のライセンス可能アイテムにアクセスするための装置に関する。この装置は、ワイヤレスデバイスの第1のロケーションに対応する第1の地理的エリア内で使用可能な少なくとも1つのライセンス可能アイテムへのアクセスを取得するように動作可能なライセンス可能アイテム検索構成要素を含み得る。この装置は、ライセンス可能アイテムをダウンロードするように動作可能なライセンス可能アイテム要求構成要素であって、ライセンス可能アイテムが、ライセンス可能アイテムを配布する権利をワイヤレスデバイスに与えるライセンスに関連付けられる、構成要素も含み得る。さらに、この装置は、配布する権利を使って、ライセンス可能アイテムの仮想コピーを、ワイヤレスデバイスの第2のロケーションに対応する第2の地理的エリアに残すように動作可能な共有構成要素であって、ライセンス可能アイテムの仮想コピーがライセンスに関連付けられ、ライセンスが、第2の地理的エリア内のライセンス可能アイテムの仮想コピーにアクセスし、ライセンス可能アイテムの仮想コピーを再配布する権利を別のワイヤレスデバイスにさらに与える、構成要素を含み得る。
【００１０】
別の態様は、地理的エリア内でライセンス可能アイテムを配布するための方法に関する。この方法は、地理的エリア内のワイヤレスデバイスのロケーションを受信するステップを含み得る。この方法は、地理的エリア内の1つまたは複数のライセンス可能アイテムの可用性(availability)をワイヤレスデバイスに通知するステップをさらに含み得る。さらに、この方法は、1つまたは複数のライセンス可能アイテムのうちの少なくとも1つにアクセスするための要求を受信するステップを含み得る。この方法はまた、ライセンスが、要求されたライセンス可能アイテムに関連付けられているかどうか判断するステップと、ライセンスに基づいて、要求されたライセンス可能アイテムへのアクセスを与えるステップとを含み得る。
【００１１】
さらに別の態様は、地理的エリア内でライセンス可能アイテムを配布するように構成された少なくとも1つのプロセッサに関する。このプロセッサは、地理的エリア内のワイヤレスデバイスのロケーションを受信するための第1のモジュールを含み得る。このプロセッサは、地理的エリア内の1つまたは複数のライセンス可能アイテムの可用性をワイヤレスデバイスに通知するための第2のモジュールも含み得る。このプロセッサは、1つまたは複数のライセンス可能アイテムのうちの少なくとも1つにアクセスするための要求を受信するための第3のモジュールをさらに含み得る。さらに、このプロセッサは、ライセンスが、要求されたライセンス可能アイテムに関連付けられているかどうか判断するための第4のモジュールと、ライセンスに基づいて、要求されたライセンス可能アイテムへのアクセスを与えるための第5のモジュールとを含み得る。
【００１２】
別の態様は、コンピュータプログラム製品に関する。このコンピュータプログラム製品は、コンピュータに、地理的エリア内のワイヤレスデバイスのロケーションを受信させるための少なくとも1つの命令を含むコンピュータ可読媒体を含み得る。コンピュータ可読媒体は、コンピュータに、地理的エリア内の1つまたは複数のライセンス可能アイテムの可用性をワイヤレスデバイスに通知させるための少なくとも1つの命令も含み得る。さらに、コンピュータ可読媒体は、コンピュータに、1つまたは複数のライセンス可能アイテムのうちの少なくとも1つにアクセスするための要求を受信させるための少なくとも1つの命令を含み得る。コンピュータ可読媒体はまた、コンピュータに、ライセンスが、要求されたライセンス可能アイテムに関連付けられているかどうか判断させるための少なくとも1つの命令と、コンピュータに、ライセンスに基づいて、要求されたライセンス可能アイテムへのアクセスを与えさせるための少なくとも1つの命令とを含み得る。
【００１３】
さらに別の態様は、装置に関する。この装置は、地理的エリア内のワイヤレスデバイスのロケーションを受信するための手段を含み得る。この装置は、地理的エリア内の1つまたは複数のライセンス可能アイテムの可用性をワイヤレスデバイスに通知するための手段をさらに含み得る。この装置は、1つまたは複数のライセンス可能アイテムのうちの少なくとも1つにアクセスするための要求を受信するための手段をさらに含み得る。この装置は、また、ライセンスが、要求されたライセンス可能アイテムに関連付けられているかどうか判断するための手段と、ライセンスに基づいて、要求されたライセンス可能アイテムへのアクセスを与えるための手段とを含み得る。
【００１４】
別の態様は、地理的エリア内でライセンス可能アイテムを配布するための装置に関する。この装置は、地理的エリア内のワイヤレスデバイスのロケーションを受信し、1つまたは複数のライセンス可能アイテムのうちの少なくとも1つにアクセスするための要求を受信し、ライセンスが、要求されたライセンス可能アイテムに関連付けられているかどうか判断し、ライセンスに基づいて、要求されたライセンス可能アイテムへのアクセスを与えるように動作可能なライセンス可能アイテム配布構成要素を含み得る。この装置は、地理的エリア内の1つまたは複数のライセンス可能アイテムの可用性についての通知をワイヤレスデバイスに送るように動作可能な通知構成要素をさらに含み得る。
【００１５】
さらに別の態様は、ワイヤレスデバイスを介して、地理的エリアに特有のライセンス可能アイテムにアクセスするための方法に関する。この方法は、クリティカルマス要件の発生に基づいて、ワイヤレスデバイスの第1のロケーションに対応する第1の地理的エリア内で使用可能な少なくとも1つのライセンス可能アイテムへのアクセスを取得するステップを含み得る。この方法は、ライセンス可能アイテムをダウンロードするステップをさらに含み得る。ライセンス可能アイテムは、ライセンス可能アイテムを配布する権利をワイヤレスデバイスに与えるライセンスに関連付けられる。その上、この方法は、配布する権利を使って、ライセンス可能アイテムの仮想コピーを、ワイヤレスデバイスの第2のロケーションに対応する第2の地理的エリア内に残すステップを含み得る。ライセンス可能アイテムの仮想コピーは、ライセンスに関連付けられる。ライセンスはさらに、第2の地理的エリア内のライセンス可能アイテムの仮想コピーにアクセスし、ライセンス可能アイテムの仮想コピーを再配布する権利を、別のワイヤレスデバイスに与える。
【００１６】
別の態様は、ワイヤレスデバイスを介して、地理的エリアに特有のライセンス可能アイテムにアクセスするように構成された少なくとも1つのプロセッサに関する。このプロセッサは、クリティカルマス要件の発生に基づいて、ワイヤレスデバイスの第1のロケーションに対応する第1の地理的エリア内で使用可能な少なくとも1つのライセンス可能アイテムへのアクセスを取得するための第1のモジュールを含み得る。プロセッサは、ライセンス可能アイテムをダウンロードするための第2のモジュールも含み得る。ライセンス可能アイテムは、ライセンス可能アイテムを配布する権利をワイヤレスデバイスに与えるライセンスに関連付けられる。さらに、プロセッサは、配布する権利を使って、ライセンス可能アイテムの仮想コピーを、ワイヤレスデバイスの第2のロケーションに対応する第2の地理的エリア内に残すための第3のモジュールを含み得る。ライセンス可能アイテムの仮想コピーは、ライセンスに関連付けられる。ライセンスはさらに、第2の地理的エリア内のライセンス可能アイテムの仮想コピーにアクセスし、ライセンス可能アイテムの仮想コピーを再配布する権利を、別のワイヤレスデバイスに与える。
【００１７】
別の態様は、コンピュータプログラム製品に関する。このコンピュータプログラム製品は、コンピュータに、クリティカルマス要件の発生に基づいて、ワイヤレスデバイスの第1のロケーションに対応する第1の地理的エリア内で使用可能な少なくとも1つのライセンス可能アイテムへのアクセスを取得させるための少なくとも1つの命令を含むコンピュータ可読媒体を含み得る。コンピュータ可読媒体はまた、コンピュータに、ライセンス可能アイテムをダウンロードさせるための少なくとも1つの命令を含み得る。ライセンス可能アイテムは、ライセンス可能アイテムを配布する権利をワイヤレスデバイスに与えるライセンスに関連付けられる。コンピュータ可読媒体は、コンピュータに、配布する権利を使って、ライセンス可能アイテムの仮想コピーを、ワイヤレスデバイスの第2のロケーションに対応する第2の地理的エリアに残させるための少なくとも1つの命令をさらに含み得る。ライセンス可能アイテムの仮想コピーは、ライセンスに関連付けられる。ライセンスはさらに、第2の地理的エリア内のライセンス可能アイテムの仮想コピーにアクセスし、ライセンス可能アイテムの仮想コピーを再配布する権利を、別のワイヤレスデバイスに与える。
【００１８】
さらに別の一態様は、装置に関する。この装置は、クリティカルマス要件の発生に基づいて、ワイヤレスデバイスの第1のロケーションに対応する第1の地理的エリア内で使用可能な少なくとも1つのライセンス可能アイテムへのアクセスを取得するための手段を含み得る。この装置は、ライセンス可能アイテムをダウンロードするための手段も含み得る。ライセンス可能アイテムは、ライセンス可能アイテムを配布する権利をワイヤレスデバイスに与えるライセンスに関連付けられる。さらに、この装置は、配布する権利を使って、ライセンス可能アイテムの仮想コピーを、ワイヤレスデバイスの第2のロケーションに対応する第2の地理的エリア内に残すための手段を含み得る。ライセンス可能アイテムの仮想コピーは、ライセンスに関連付けられる。ライセンスはさらに、第2の地理的エリア内のライセンス可能アイテムの仮想コピーにアクセスし、ライセンス可能アイテムの仮想コピーを再配布する権利を、別のワイヤレスデバイスに与える。
【００１９】
別の態様は、ワイヤレスデバイスを介して、地理的エリアに特有のライセンス可能アイテムにアクセスするための装置に関する。この装置は、クリティカルマス要件の発生に基づいて、ワイヤレスデバイスの第1のロケーションに対応する第1の地理的エリア内で使用可能な少なくとも1つのライセンス可能アイテムへのアクセスを取得するように動作可能な、ライセンス可能アイテム検索構成要素を含み得る。この装置は、ライセンス可能アイテムをダウンロードするように動作可能な、ライセンス可能アイテム要求構成要素をさらに含み得る。ライセンス可能アイテムは、ライセンス可能アイテムを配布する権利をワイヤレスデバイスに与えるライセンスに関連付けられる。さらに、この装置は、配布する権利を使って、ライセンス可能アイテムの仮想コピーをワイヤレスデバイスの第2のロケーションに対応する第2の地理的エリアに残すように動作可能な共有構成要素を含み得る。ライセンス可能アイテムの仮想コピーは、ライセンスに関連付けられる。ライセンスはさらに、第2の地理的エリア内のライセンス可能アイテムの仮想コピーにアクセスし、ライセンス可能アイテムの仮想コピーを再配布する権利を、別のワイヤレスデバイスに与える。
【００２０】
上記の目的および関連する目的の達成のために、1つまたは複数の態様は、以下で詳細に説明され特許請求の範囲で具体的に指摘される特徴を含む。以下の説明および添付の図面は、1つまたは複数の態様のいくつかの例示的な特徴を詳細に説明する。しかしながら、これらの特徴は、様々な態様の原理が使用され得る様々な方法のうちのほんのいくつかしか示しておらず、この説明は、そのようなすべての態様およびそれらの均等物を含むものとする。
【００２１】
開示される態様を限定するためではなく、開示される態様を例示するために与えられる、添付の図面とともに、開示される態様が以下で説明され、同様の表示は同様の要素を示す。
【図面の簡単な説明】
【００２２】
【図１】一態様によるコネクティビティ(connectivity)システムの図である。
【図２】一態様による例示的な拡張現実インターフェースを示す図である。
【図３】一態様による、ライセンス可能アイテムにアクセスするための方法を示すフローチャートである。
【図４】さらに別の態様による、地理的エリア内でライセンス可能アイテムを配布するための方法を示すフローチャートである。
【図５】別の態様による、ライセンス可能アイテムにアクセスするための様々なレベルの例を示す図である。
【図６】さらに別の態様による、ライセンス可能アイテムにアクセスするための例示的な地理的エリアを示す図である。
【図７】一態様によるコネクティビティシステム内で動作可能な例示的なワイヤレスデバイスの図である。
【図８】さらに別の態様によるコネクティビティシステム内で動作可能な例示的なサーバデバイスの図である。
【図９】さらに別の態様による、ライセンス可能アイテムへのアクセスを容易にする例示的なシステムを示す図である。
【図１０】別の態様による、ライセンス可能アイテムの配布を容易にする例示的なシステムを示す図である。
【発明を実施するための形態】
【００２３】
次に、図面を参照しながら様々な態様について説明する。以下の記述では、説明の目的で、1つまたは複数の態様の完全な理解を与えるために多数の具体的な詳細を記載する。ただし、そのような態様をこれらの具体的な詳細なしに実施できることは明白であり得る。
【００２４】
記載する態様は、ロケーションに基づくライセンシングを使って、特定のロケーションにおけるライセンス可能アイテムの使用を促し、かつ/または奨励するための方法およびシステムに関する。記載する方法およびシステムは、ワイヤレスデバイスのロケーションを判定するとともに、ワイヤレスデバイスのロケーションにおいて、および/またはその近くで使用可能なライセンス可能アイテムを発見および/または判定する。ライセンス可能アイテムは、ライセンス可能アイテムへのアクセスおよびその使用を支配するライセンスも含み、かつ/またはそれに関連付けられ得る。たとえば、ライセンスは、ライセンス可能アイテムが特定のロケーションにおいて、および/またはある期間内に使われることを求め得る。
【００２５】
さらに、記載する態様は、ライセンス可能アイテムの再配布を促進するための方法およびシステムに関する。たとえば、ライセンス可能アイテムに関連付けられたライセンスにより、ユーザは、ライセンス可能アイテムをいく人かのユーザに再配布することが可能になり得る。したがって、ワイヤレスデバイスのユーザは、あるロケーションにいる間、ライセンス可能アイテムへのアクセスを有することができ、ライセンス可能アイテムの仮想コピーを第2のロケーションにもっていき、ライセンス可能アイテムの仮想コピーを、ライセンス可能アイテムの使用を支配する関連ライセンスとともに、第2のロケーションにおいて再配布、たとえば、ドロップすることができる。ユーザが、ライセンス可能アイテムの仮想コピーを第2のロケーションにドロップすると、別のユーザが、ライセンス可能アイテムの仮想コピーを発見し、ライセンスに記載された条件に基づいて、ライセンス可能アイテムの仮想コピーを使うことができる。
【００２６】
本開示で使用するように、「ライセンス可能アイテム」という用語は、「コンテンツ」もしくは「コンテンツアイテム」または「サービス」もしくは「サービスアイテム」に関連することができる。本明細書で使用するように、「コンテンツ」または「コンテンツアイテム」という用語は、少なくとも、任意のタイプのアプリケーション、マルチメディアファイル、画像ファイル、実行可能プログラム、ウェブページ、スクリプト、ドキュメント、プレゼンテーション、メッセージ、データ、メタデータ、音楽、ビデオ、電子ブック、リングトーン、壁紙、物理的アイテムの電子的表現、またはデバイス上で与えられ、処理され、または実行され得る任意の他のタイプのメディアまたは情報のうちの1つまたは複数を含む。
【００２７】
また、「サービス」もしくは「サービスアイテム」という用語は、少なくとも、電子的または非電子的な形態を含めて、行為または受け入れを可能にすることを含む。たとえば、一態様では、サービスは、ネットワークサーバへのアクセスなどのアクセスを提供することを含み得る。たとえば、限定するものと解釈されるべきではない一態様では、ネットワークサーバへのアクセスを提供する使用事例は、ユーザがゲームのプレーヤであるシナリオを含んでよく、ネットワークサーバが提供する、ゲーム向けのネットワークベースのマルチプレーヤサービスにユーザが参加できるようにするために、ネットワークサーバへのアクセスが提供される。
【００２８】
次に図1を参照すると、1つまたは複数のアクセスネットワーク104を介して1つまたは複数のサーバおよび/またはコンピューティングデバイス106と通信する1つまたは複数のワイヤレスデバイス102を含む例示的なコネクティビティシステム100が示される。ワイヤレスデバイス102は、アクセスネットワーク104に接続し得る、セルラーデバイスなどの任意のモバイルコンピューティングデバイスもしくはモバイル通信デバイスまたはポータブルコンピューティングデバイスもしくはポータブル通信デバイスを含んでもよい。ワイヤレスデバイス102は、たとえば、デバイスのうちでもとりわけ、ワイヤレス接続機能を有するセルラー電話、ナビゲーションシステム、コンピューティングデバイス、カメラ、PDA、音楽デバイス、ゲームデバイス、またはハンドヘルドデバイスであってもよい。サーバ/コンピューティングデバイス106は、ネットワークに接続された任意のモバイルコンピューティングデバイスまたは固定コンピューティングデバイスを含み得る。サーバ/コンピューティングデバイス106は、デバイスのうちでもとりわけ、ワイヤレス接続機能を有するコンピューティングデバイス、サーバ、セルラー電話、カメラ、PDA、音楽デバイス、ゲームデバイス、ナビゲーションシステム、またはハンドヘルドデバイスを、限定はされないが含み得る。さらに、アクセスネットワーク104は、任意のタイプのワイヤレスエアリンクなど、1つまたは複数のタイプの通信接続を、ワイヤレスデバイス102およびサーバ106に設けることができる。ワイヤレスデバイス102は、通信、たとえば、通信のうちでもとりわけ、電話呼、テレビ会議呼、インターネットプロトコル会議、ボイスオーバーインターネットプロトコル(IP)呼、ショートメッセージサービス(SMS)メッセージ、マルチメディアメッセージングサービス(MMS)メッセージ、インスタントメッセージング(IM)サービスメッセージ、チャットもしくはネットミーティング関連接続、ビデオ、音楽もしくはデータの転送の発信および/または受信を、アクセスネットワーク104を介して1つまたは複数のサーバ106との間で行ってもよい。さらに、ワイヤレスデバイス102は、アクセスネットワーク104を介して1つまたは複数のサーバ106から、またはアクセスネットワーク104と通信している任意の他のデバイスから、通信を受信し得る。
【００２９】
サーバ106は、1つまたは複数のワイヤレスデバイス102に1つまたは複数のライセンス可能アイテム22を配布するために動作可能な、ライセンス可能アイテム配布構成要素20を含み得る。ライセンス可能アイテム22は、他のコンテンツの中でも、アプリケーション(たとえば、気象アプリケーション、スポーツアプリケーション、ニュースアプリケーション、ショッピングアプリケーション、もしくは娯楽アプリケーション)、ゲーム、音楽、または本などのデジタルコンテンツを含み得るが、それに限定されない。さらに、ライセンス可能アイテム22は、ライセンス24を含み、またはそれに関連付けられ得る。ライセンス24は、ライセンス可能アイテム22が使われ、かつ/または再配布され得る方式を支配する1つまたは複数のパラメータ、規則、または要件を含み得る。たとえば、ライセンス発行者、たとえば、ライセンス可能アイテム22の公開者や所有者が、ライセンス可能アイテム22は、ある地理的ロケーション内でのみ使うことができると決定し得る。したがって、ライセンス24は、ライセンス発行者が選んだ地理的ロケーションにおいてのみライセンス可能アイテム22が使われることを求め得る。
【００３０】
一態様では、たとえば、サーバ106は、ライセンス発行者からの要件、たとえば、ライセンスパラメータ28に基づいてライセンス24を生成するためのライセンスジェネレータ構成要素26を含み得る。ライセンスパラメータ28は、他のライセンスパラメータの中でも、サポートされるロケーション(たとえば、ライセンスを使うことができる地理的エリア)と、ライセンスの継続時間(たとえば、ライセンスを使うことができる期間)と、量閾(quantity threshold)(たとえば、申込みが消える前に許可するべきライセンスの数)と、申し込まれたライセンスタイプと、ロケーションが変わり、かつ/または継続時間が満了したときの挙動(たとえば、デモライセンスに戻る、ライセンスを取り消す、ライセンスを保留する、変化なし)と、再配布権(たとえば、ライセンスを再配布することができる場合、ライセンスを再配布することができる回数、再配布ロケーション制限)とを含み得るが、それに限定されない。ライセンスジェネレータ構成要素26は、ライセンス24を使うことができるロケーションを判定するために動作可能なロケーション構成要素30を含み得る。一態様では、ロケーション構成要素30は、所与のライセンス可能アイテム22についての受諾可能ライセンシングロケーションのホワイトリストなどのリストを生成することができる。たとえば、ロケーション構成要素30は、受諾可能ライセンシングロケーションのリストをライセンス発行者から受信することができる。ロケーション構成要素30はまた、ワイヤレスデバイス102の現在のロケーション108を受信し、ロケーション108が受諾可能ライセンシングロケーションのリストにあるかどうか判断することができる。
【００３１】
さらに、ライセンスジェネレータ構成要素26は、ライセンスが使用可能である継続時間、たとえば、期間、使用回数などを判断するために動作可能な継続時間構成要素32を含み得る。たとえば、継続時間構成要素32は、所与のライセンス可能アイテム22がもはやライセンスを介して使用可能でないときの満了日付を、ライセンス発行者から受信し得る。継続時間構成要素32はまた、ライセンス可能アイテム22にアクセスしようと試みるワイヤレスデバイス102から、アクセス時間を受信し、アクセス時間がライセンスの継続期間内であるかどうか判断することができる。ライセンスジェネレータ構成要素26は、閾、たとえば、アクセスが認められるロケーションおよび/または期間におけるユーザのクリティカルマスが、ライセンスが使用可能になるための条件であるかどうか判断するために動作可能な閾判定器33も含み得る。たとえば、ライセンスジェネレータ構成要素26は、特定のロケーション内の所与のライセンス可能アイテム22にアクセスしようと試みるワイヤレスデバイス102のユーザの総数を算出し、ユーザの総数が、ライセンス可能アイテム22へのライセンスが使用可能になるのに必要とされるユーザの閾数を満たすかどうか判断することができる。
【００３２】
したがって、ライセンスジェネレータ構成要素26は、ロケーション構成要素30、継続時間構成要素32、および閾判定器33からの入力を、ライセンス24と関連付けるべきそれぞれのパラメータ28とともに受信し、所与のライセンス可能アイテム22についてのライセンス24を生成することができる。ライセンスジェネレータ構成要素26は、生成ライセンス24およびそれぞれのパラメータ28を、ライセンス可能アイテム配布構成要素20に与えて、ライセンス可能アイテム22と関連付けることができる。
【００３３】
サーバ106は、1つまたは複数の通知36を送るように動作可能な通知構成要素34をさらに含み得る。たとえば、通知36は、ライセンス可能アイテム22の仮想コピーがユーザのロケーションにおいて使用可能であり得ることをユーザにアラートすることができる。通知36は、他の通知の中でも、SMS(ショートメッセージサービス)メッセージ、MMS(マルチメディアメッセージングサービス)メッセージ、eメールメッセージ、音声アラート、または他のどの形のアプリケーション内メッセージ通信も含み得るが、それに限定されない。一態様では、通知36は、他のライセンス可能アイテム情報の中でも、使用可能なライセンス可能アイテムの一覧、ライセンス可能アイテムの名称、ライセンス可能アイテムのスクリーンショット、ライセンス可能アイテムの価格設定情報、ライセンス可能アイテムのレビュー、ライセンス可能アイテムのロケーション、またはライセンス可能アイテムへの方向などだが、それに限定されないライセンス可能アイテム情報を含み得る。
【００３４】
ライセンス可能アイテム配布構成要素20は、ワイヤレスデバイス102と通信して、ワイヤレスデバイス102にライセンス可能アイテム22を配布することができる。さらに、ライセンス可能アイテム配布構成要素20は、使用可能なライセンス可能アイテム22のリストなど、特定の地理的エリアにおける使用可能なライセンス可能アイテム22に関する情報をワイヤレスデバイス102に提供し得る。ワイヤレスデバイス102は、ワイヤレスデバイス102のロケーション内の使用可能なライセンス可能アイテム22を検索するために動作可能なライセンス可能アイテム検索構成要素12を含み得る。たとえば、ライセンス可能アイテム検索構成要素12は、ライセンス可能アイテム配布構成要素20とインターフェースをとって、使用可能なライセンス可能アイテム22を判定することができる。ワイヤレスデバイス102のロケーションは、ロケーション構成要素10によって判定され得る。ロケーション構成要素10は、たとえば、ワイヤレスデバイス102のロケーションを示す緯度および経度座標を生成する全地球測位システム(GPS)モジュールであってよい。したがって、ライセンス可能アイテム22が、ライセンス可能アイテムをワイヤレスデバイスの現在のロケーションで使用できるようにするライセンス24に関連付けられている場合、ライセンス可能アイテム検索構成要素12は、使用可能なライセンス可能アイテム22をワイヤレスデバイス102に通知してもよい。たとえば、使用可能なライセンス可能アイテム22を有するリストが、ワイヤレスデバイス102に与えられ得る。ワイヤレスデバイス102は、ライセンス可能アイテム22のロケーションへの指示および/または方向を提示するように動作可能な拡張現実構成要素18をさらに含み得る。たとえば、ワイヤレスデバイス102は、ワイヤレスデバイスのロケーションを囲むエリアの画像を検出する、カメラなどの画像認識構成要素を有し得る。拡張現実構成要素18は、ライセンス可能アイテム22への方向をライセンス可能アイテム配布構成要素20から受信し、たとえば、図2に示すように、受信した、ライセンス可能アイテム22のロケーションへの方向を、検出画像に重ねてもよい。一態様では、拡張現実構成要素18は、たとえば、ライセンス可能アイテムまで移動するべき距離を示すテキストとともに、ライセンス可能アイテムマーカ204(図2)への方向を指す矢印202(図2)を重ねてもよい。拡張現実構成要素18は、ユーザの動きに基づいて、ほぼリアルタイムで更新され得る。したがって、ユーザがライセンス可能アイテム22の方へ動き、かつ/またはそこから離れると、拡張現実構成要素18は、ライセンス可能アイテム22のロケーションへの新たな指示および/または方向を示すように更新され得る。さらに、拡張現実構成要素18は、ライセンス可能アイテム22のロケーションにライセンス可能アイテム情報を重ねてもよい。したがって、ユーザがライセンス可能アイテムマーカ204(図2)に達すると、拡張現実構成要素18は、ライセンス可能アイテムのスクリーンショット、ライセンス可能アイテムについてのユーザ評価、ライセンス可能アイテムの価格、および/またはライセンス可能アイテムをダウンロードするための選択肢などのライセンス可能アイテム情報を、検出画像に重ねることができる。
【００３５】
ワイヤレスデバイス102は、ライセンス可能アイテム配布構成要素20に対して使用可能なライセンス可能アイテム22を要求するように動作可能な、ライセンス可能アイテム要求構成要素14も含み得る。たとえば、ワイヤレスデバイス102は、使用可能なライセンス可能アイテム22を要求し、続いてダウンロードすることができる。一態様では、ワイヤレスデバイス102は、ロケーション108まで動き、ライセンス可能アイテム検索構成要素12を使って、ロケーション108における使用可能なライセンス可能アイテム22を検索することができる。代替および/または追加として、ワイヤレスデバイス102は、ロケーション108における使用可能なライセンス可能アイテム22のリストを有する通知を通知構成要素34から受信し得る。ワイヤレスデバイス102は、サーバ106と通信し、ロケーション108における使用可能なライセンス可能アイテム22のうちの1つまたは複数へのアクセスを要求することができる。サーバ106は、ライセンス24が1つおよび複数の要求されたライセンス可能アイテム22に関連付けられているかどうか判断することができる。
【００３６】
加えて、ワイヤレスデバイス102は、ライセンス可能アイテム22を他のユーザと共有するように動作可能な共有構成要素16をさらに含み得る。たとえば、ライセンス可能アイテム22に関連付けられたライセンス24が、ライセンス可能アイテム22の再配布を認める場合、共有構成要素16は、ライセンス可能アイテム22の仮想コピーをライセンス24とともに別のロケーションに残すことができる。ライセンス可能アイテム22は、いくつかの異なるやり方で、別のロケーションに残すことができることを諒解されたい。たとえば、共有構成要素16は、ライセンシングサーバ、たとえば、サーバ106に、ワイヤレスデバイス102の現在のロケーションを伝えることができる。ライセンシングサーバは、ワイヤレスデバイス102のロケーションを、所与のライセンス可能アイテム22についての受諾可能ライセンシングロケーションのホワイトリストに追加することができる。さらに、ライセンシングサーバは、ライセンス可能アイテム22を使うことができる位置ロケーション座標付近のエリア、満了日付(たとえば、ライセンスが使用可能な期間)、および使用可能なコピーの数などのライセンスパラメータとともに、位置ロケーション座標をライセンス可能アイテム22の仮想コピーに割り当てることができる。たとえば、ライセンス可能アイテム22が、再配布権利(たとえば、ライセンスを再配布することができる場合)をもつライセンス24に関連付けられている場合、ワイヤレスデバイス102は、新しいロケーション110に入り、ライセンス可能アイテム22に関連付けられたライセンス24の再配布権利を使って、ライセンス可能アイテム22の仮想コピーをロケーション110に残すことができる。ワイヤレスデバイス102は、ワイヤレスデバイス102の新しいロケーション110についてライセンシングサーバ(たとえば、サーバ106)と通信することができ、ライセンシングサーバは、ワイヤレスデバイス102がライセンス可能アイテム22の仮想コピーをロケーション110に残すことができるかどうか判断することができる。ライセンス可能アイテム22の仮想コピーが置かれている新しいロケーション110に他のユーザが入ると、ユーザは、ライセンス可能アイテム22の仮想コピーがユーザのロケーションにおいて使用可能であり得ることを通知され得る。
【００３７】
別の態様では、共有構成要素16は、ライセンス24とともにライセンス可能アイテム22の仮想コピーを、それに限定されないが、たとえばユーザの交友関係の他のメンバなど、他のユーザに送ることができる。ライセンス可能アイテム共有構成要素16は、たとえば、ワイヤレスデバイス102のユーザに関連付けられたソーシャルメディアネットワークおよび/またはワイヤレスデバイス102に関連付けられた連絡先リストを使って、様々なロケーションにいる他のユーザにライセンス可能アイテム22のコピーを再配布することができる。たとえば、ライセンス可能アイテム共有構成要素16は、ライセンス可能アイテム22の仮想コピーへのアクセスを有するeメールメッセージを、ワイヤレスデバイス102のユーザに関連付けられた1つまたは複数の連絡先のeメールアドレスに送ることができる。別の例では、ライセンス可能アイテム共有構成要素16は、ライセンス可能アイテム22の仮想コピーへのアクセスを有するメッセージを、ワイヤレスデバイス102のユーザに関連付けられた1つまたは複数のソーシャルメディアネットワーク上に投稿することができ、したがって、ソーシャルメディアネットワークアカウントに関連付けられた連絡先に、ライセンス可能アイテム22の仮想コピーへのアクセスを認める。したがって、ライセンス可能アイテム22は、様々なロケーションにいるユーザに迅速に再配布することができ、ライセンス可能アイテムをプロモートし、かつ/または販売するのを助ける。
【００３８】
1つまたは複数のワイヤレスデバイスが、ライセンス可能アイテム22にアクセスすることができ、したがって、ライセンス可能アイテム22の複数の仮想コピーが、ライセンス可能アイテム配布構成要素20から配布され得ることを諒解されたい。
【００３９】
図3を参照すると、一態様による、ライセンス可能アイテムにアクセスするための方法300は、302で、ワイヤレスデバイスの第1のロケーションを検出することを含む。たとえば、ワイヤレスデバイス102上の全地球測位システム(GPS)モジュール、たとえば、ロケーション構成要素10(図1)が、ワイヤレスデバイス102のロケーションを示す緯度および経度座標を生成し得る。
【００４０】
304で、方法は、任意選択で、ワイヤレスデバイスのロケーションにおいてライセンス可能アイテムが使用可能であるという通知を受信することを含み得る。たとえば、一態様では、通知は、ワイヤレスデバイスが、ワイヤレスデバイスロケーションを含む要求をサーバに送信し、そのロケーションにおける使用可能なライセンス可能アイテムの一覧を要求したことに応答し得る。ライセンス可能アイテムは、他のライセンス可能アイテムの中でも、アプリケーション(たとえば、気象アプリケーション、スポーツアプリケーション、ニュースアプリケーション、ショッピングアプリケーション、もしくは娯楽アプリケーション)、ゲーム、音楽、または本などのサービスおよび/またはコンテンツを含み得るが、それに限定されない。通知は、他の通知の中でも、たとえば、SMS(ショートメッセージサービス)メッセージ、MMS(マルチメディアメッセージングサービス)メッセージ、eメールメッセージ、音声アラート、または他のどの形のアプリケーション内メッセージ通信でもあり得る。さらに、通知は、他のライセンス可能アイテム情報の中でも、使用可能なライセンス可能アイテムの一覧、ライセンス可能アイテムの名称、ライセンス可能アイテムのスクリーンショット、ライセンス可能アイテムの価格設定情報、ライセンス可能アイテムのレビュー、ライセンス可能アイテムのロケーション、またはライセンス可能アイテムへの方向などのライセンス可能アイテム情報を含み得る。いくつかの態様では、たとえば、サーバ106は、ワイヤレスデバイス102が、ライセンス可能アイテムがダウンロードに応じ得るロケーションに入る(たとえば、ワイヤレスデバイス102がジオフェンス(geofence)または他の地理的閾を超える)と、プッシュアラート(たとえば、通知)を送るように構成され得る。したがって、ワイヤレスデバイス102は、ワイヤレスデバイスのロケーションにおいてライセンス可能アイテムが使用可能であることを示す通知をサーバ106から受信し得る。
【００４１】
306で、方法は、任意選択で、ワイヤレスデバイスのロケーションにおいて使用可能なライセンス可能アイテムを検索することを含み得る。たとえば、ワイヤレスデバイス102は、ワイヤレスデバイスのロケーションにおいて、またはその近くで使用可能なライセンス可能アイテムを求めて、一覧をブラウズすることができる。ライセンス可能アイテムの一覧は、ライセンス可能アイテムのロケーションへの方向および/または指示を含み得る。ユーザは、ライセンス可能アイテムへの方向に従うことによって、使用可能なライセンス可能アイテムにたどり着くことができる。ユーザは、ライセンス可能アイテムのロケーションに達すると、ライセンス可能アイテム情報を受信し、ライセンス可能アイテム情報を使って、ライセンス可能アイテムへのアクセスを取得するかどうか、たとえば、ライセンス可能アイテムをダウンロードする、またはライセンス可能アイテムを使うかどうかを判断することができる。
【００４２】
一態様では、ライセンス可能アイテムのロケーションへの指示および/または方向を提示するのに、拡張現実システムを使うことができる。ワイヤレスデバイス102は、ワイヤレスデバイスのロケーションを囲むエリアの画像を検出する、カメラなどの画像認識構成要素を有し得る。拡張現実システムは、ライセンス可能アイテムのロケーションへの方向を検出画像の上に重ねることができる。たとえば、拡張現実システムは、ライセンス可能アイテムへの方向を指す矢印を、ライセンス可能アイテムまで移動するべき距離を示すテキストとともに重ねることができる。拡張現実システムは、ユーザの動きに基づいて、ほぼリアルタイムで更新され得る。したがって、ユーザがライセンス可能アイテムの方へ動き、かつ/またはそこから離れると、拡張現実システムは、ライセンス可能アイテムのロケーションへの新たな指示および/または方向を示すように更新され得る。さらに、拡張現実システムは、ライセンス可能アイテムのロケーションにライセンス可能アイテム情報を重ねることができる。したがって、ユーザがライセンス可能アイテムマーカに達すると、拡張現実システムは、ライセンス可能アイテムのスクリーンショット、ライセンス可能アイテムについてのユーザ評価、ライセンス可能アイテムの価格、および/またはライセンス可能アイテムをダウンロードするための選択肢などのライセンス可能アイテム情報を、検出画像に重ねることができる。
【００４３】
次に、308で、方法は、ワイヤレスデバイスの第1のロケーションにおいて使用可能なライセンス可能アイテムへのアクセスを取得することを含み得る。ライセンス可能アイテムへのアクセスは、特定のロケーションにおける、および/またはある期間中の、ライセンス可能アイテムに関連付けられたライセンスに基づき得る。ライセンス可能アイテムの仮想コピーは、ライセンス可能アイテムに関連付けられたライセンスを含み得る。ライセンスは、ライセンス可能アイテムの仮想コピーとは離れた所にある場合があることにも留意されたい。ライセンス発行者、たとえば、ライセンス可能アイテムの公開者または所有者は、ライセンスの1つまたは複数のライセンスパラメータをセットすることができる。ライセンスパラメータは、他のライセンスパラメータの中でも、たとえば、サポートされるロケーション(たとえば、ライセンスを使うことができる地理的エリア)と、ライセンスの継続時間(たとえば、ライセンスを使うことができる期間)と、量閾(たとえば、申込みが消える前に許可するべきライセンスの数)と、申し込まれたライセンスタイプと、ロケーションが変わり、かつ/または継続時間が満了したときの挙動(たとえば、デモライセンスに戻る、ライセンスを取り消す、ライセンスを保留する、変化なし)と、再配布権(たとえば、ライセンスを再配布することができる場合、ライセンスを再配布することができる回数、再配布ロケーション制限)とを含み得る。
【００４４】
たとえば、ライセンス可能アイテムに関連付けられたライセンスは、ワイヤレスデバイス102が特定のロケーションに留まる限り有効であり得る。ワイヤレスデバイス102がそのロケーションから出ると、ライセンスはもはや有効でなくなり、ライセンス可能アイテムは、デモライセンスまたは失効ライセンス状態に戻り得る。追加および/または代替として、ライセンスはまた、ワイヤレスデバイス102がライセンスの期間中にライセンス可能アイテムを使っている限り有効であり得る。期間が満了すると、ライセンスはもはや有効でなくなり、ライセンス可能アイテムはデモライセンスに戻り得る。
【００４５】
一態様では、ライセンス可能アイテムへのアクセスの取得は、クリティカルマス要件、たとえば、ライセンス可能アイテムへのアクセスの取得に先立って達しなければならない一定の閾に基づき得る。クリティカルマス要件は、ライセンス可能アイテムに関連付けられた、ジオロケーションなど、所与の地理的エリアに一定数のユーザが入った場合にのみライセンス可能アイテムが使用可能であるように、たとえば、ユーザ数に適用され得る。たとえば、ライセンスは、ジオロケーション内にいる最初のx人のユーザにとって、またはライセンス可能アイテムを獲得するべき、ジオロケーション内の最初のx人のユーザにとって使用可能であってよく、ここで「x」は正の整数である。代替または追加として、クリティカルマス要件は、たとえば、時間要素、たとえば、ライセンスの継続時間にも適用することができ、時間要素は、ユーザ数と組み合わせることもできる。たとえば、ライセンスは、30分以内にライセンス可能アイテムにアクセスする最初のx人のユーザが、ライセンス可能アイテムへのアクセスを有することになるという条件を与え得る。クリティカルマス要件はまた、ユーザの特性に依存して変わり得る。ユーザ特性は、他のユーザ特性の中でも、たとえば、ユーザの年齢、ユーザのデバイス能力、自分のデバイス上に特定のアプリケーションをもつユーザ、特定の電話番号、プロモーションに対するオプトインやサービスへの支払など、ユーザの過去の挙動を含み得る。
【００４６】
310で、方法は、ライセンス可能アイテムを配布する権利を与えるライセンスに関連付けられたライセンス可能アイテムをダウンロードすることをさらに含み得る。たとえば、ライセンスパラメータが、配布する権利を認める場合、ワイヤレスデバイス102のユーザは、ライセンスパラメータに従って、ライセンス可能アイテムをダウンロードし、ライセンス可能アイテムを再配布することができる。
【００４７】
312で、方法は、ワイヤレスデバイスの第2のロケーションを検出することも含んでよく、314で、方法は、配布する権利を使って、ライセンス可能アイテムの仮想コピーを第2のロケーションに残すことをさらに含み得る。たとえば、ワイヤレスデバイス102は、ライセンス可能アイテムのコピーを、ワイヤレスデバイスの他のユーザが発見するように様々なロケーションに残す、たとえば、ドロップすることができる。一態様では、配布する権利により、ワイヤレスデバイス102のユーザは、他のユーザのロケーションにかかわらず、交友関係に入っているユーザなどだが、それに限定されない、定義された1組の他のユーザに、ライセンス可能アイテムを再配布することもできる。したがって、新規ユーザが、ライセンス可能アイテムの仮想コピーを第2のロケーションにおいて発見すると、ライセンス可能アイテムに関連付けられたライセンスにより、新規ユーザは、ライセンス可能アイテムの仮想コピーをとり、ライセンス可能アイテムの仮想コピーを異なるロケーションにおいて再配布することが可能になり得る。それゆえ、ライセンス可能アイテムは、様々なロケーションにいるユーザに迅速に再配布することができ、ライセンス可能アイテムをプロモートし、販売するのを助ける。
【００４８】
ここで図4を参照すると、一態様による、地理的エリア内のライセンス可能アイテムへのアクセスを与えるための方法400は、402で、地理的エリア内のワイヤレスデバイスについてのロケーション更新を受信することを含む。たとえば、サーバは、全地球測位システムなど、ワイヤレスデバイス上のロケーション構成要素から、現在のロケーションを受信し得る。
【００４９】
404で、方法は、地理的エリア内の1つまたは複数のライセンス可能アイテムの可用性をワイヤレスデバイスに通知することを含み得る。通知は、他のライセンス可能アイテム情報の中でも、使用可能なライセンス可能アイテムの一覧、ライセンス可能アイテム名、ライセンス可能アイテムのスクリーンショット、ライセンス可能アイテムの価格設定情報、ライセンス可能アイテムのレビュー、ライセンス可能アイテムのロケーション、またはライセンス可能アイテムへの方向などのライセンス可能アイテム情報を含み得る。いくつかの態様では、たとえば、サーバ106は、ワイヤレスデバイス102が、ライセンス可能アイテムがダウンロードに応じ得るロケーションに入る(たとえば、ワイヤレスデバイス102がジオフェンスまたは他の地理的閾を超える)と、プッシュアラート(たとえば、通知)を送るように構成され得る。
【００５０】
ライセンス可能アイテムの可用性を伴う通知は、ワイヤレスデバイスの動きに基づいて、ほぼリアルタイムで更新することができる。したがって、ユーザが、様々な地理的エリアの方へ動き、かつ/またはそこから離れると、サーバは、ワイヤレスデバイスの現在のロケーションにおける新たなライセンス可能アイテムを示すように通知を更新し得る。
【００５１】
次に、406で、方法は、使用可能なライセンス可能アイテムのうちの1つまたは複数にアクセスするための要求を受信することを含み得る。サーバは、1つまたは複数のライセンス可能アイテムを伴う選択項目を、ワイヤレスデバイスから受信し得る。
【００５２】
方法は、場合によっては、408で、ライセンスが1つまたは複数のライセンス可能アイテムに関連付けられているかどうか判断することを含み得る。たとえば、サーバは、ライセンス可能アイテムが使われ、かつ/または再配布され得る方式を支配する1つまたは複数のライセンスパラメータ、規則、および/または要件を受信し得る。
【００５３】
410で、方法は、ライセンスに基づいて、ライセンス可能アイテムへのアクセスを与えることを含み得る。一態様では、サーバは、たとえば、地理的エリア内、持続時間内、および/またはクリティカルマスが発生した後に、ライセンス可能アイテムが使われることをライセンスパラメータが求めるかどうか判断することができる。したがって、ワイヤレスデバイスについての情報(たとえば、ロケーション、アクセス時間)が、ライセンス可能アイテムに関連付けられたそれぞれのライセンスパラメータ中にある場合、サーバは、ライセンス可能アイテムへのアクセスを与えることができる。
【００５４】
一態様では、ライセンス発行者(たとえば、ライセンス可能アイテムの所有者および/または公開者)は、ライセンス可能アイテムがワイヤレスデバイス102によってアクセスされた後、ライセンスおよび/または配布権利を再設定し、管理することができる。一態様では、ライセンス発行者は、ライセンスを使い、かつ/または再配布することができる地理的エリア(たとえば、ジオフェンス)を再設定することができる。ジオフェンスは、異なる地理的ライセンスガイドラインが認められるようにライセンスが発行された後、動的に設定することができる。たとえば、ライセンス発行者は、ライセンス可能アイテムを使用および/または配布することができる地理的ロケーションを追加および/または削除することができる。さらに、公開者は、追加エリアを含め、かつ/またはあるエリアを除外するように、ジオフェンス境界を再設定することができる。別の態様では、ライセンス発行者は、ライセンス可能アイテムを使うことができる期間を再設定することができる。たとえば、ライセンス発行者は、ライセンス可能アイテムを使うための試行期間を、ライセンス可能アイテムを使うための元の期間が満了した後、さらに30分延長することができる。
【００５５】
一態様では、ライセンス可能アイテムの使用を制限する地理的境界にユーザが近づいているとき、ライセンス発行者は、アラートを受信し得る。たとえば、ワイヤレスデバイスは、ロケーション更新、たとえば、デバイスロケーションをそこから判断することができる、判定されたデバイスロケーション情報やシグナリング情報をサーバに送って、サーバにデバイスロケーションをアラートすることができる。別の例では、サーバは、デバイスと通信している1つまたは複数の基地局またはセルのロケーションに基づいてロケーションをデバイスに関連付けるなど、ネットワークベースの情報を使って、デバイスのロケーションを追跡することができる。さらに、ライセンス発行者は、ライセンス可能アイテムを使うための期間が間もなく満了するというアラートを受信し得る。ライセンス発行者は、ライセンス可能アイテムを他のユーザに再配布する限界にユーザが近づいているというアラートも受信し得る。したがって、ライセンス発行者は、ライセンス可能アイテムが再配布され得るユーザ数を追加するなどのように、ライセンス可能アイテムがどのように使用および/または再配布され得るかについてのパラメータを変更すると決定することができる。たとえば、ライセンス発行者が、プロモーションの期間が間もなく終了することを通知され、ユーザが依然としてプロモーション用ライセンス可能アイテムにアクセスしようと試みていると判断した場合、ライセンス発行者は、ライセンス可能アイテムへのアクセスをもつ機会をより多くのユーザに認めるように、ライセンスが有効である継続時間を延長してよい。
【００５６】
一態様では、ロケーションへのユーザの近接度に基づいて、様々なレベルのアクセスが、ユーザに対して許可され得る。図5は、一態様による、ジオ座標(geo coordinate)502からの距離に基づく、ライセンス可能アイテムへの様々なレベルのアクセスを伴う図である。ジオ座標502は、ジオ座標502内にある間にライセンス可能アイテムを使い、かつ/または試すためのライセンスを与えるために選択され得る。ジオ座標502は、地理的ロケーションまたはロケーションの範囲でよいが、それに限定されず、他のロケーションの中でも、たとえば、ランドマーク、スタジアム、中心点、レストラン、コーヒーショップ、店舗、空港、WiFiホットスポット、またはセルタワーに関連付けられ得る。
【００５７】
ユーザが、ジオ座標502に近づき、かつ/またはさらに離れると、ライセンス可能アイテムへのアクセスのレベルは、移動の方向に基づいて増し、かつ/または低下し得る。ユーザがジオ座標502の付近のロケーションに入ると、ユーザは、ライセンス可能アイテム用のライセンスが先行して使用可能であり得ることを通知され得る。たとえば、ユーザが、ジオ座標502を囲む第3のエリア508に入る(たとえば、ユーザが、ジオフェンス境界などの閾を超える)と、ユーザは、ライセンス可能アイテムが先行して使用可能であり得ることを示す通知など、ライセンス可能アイテムについてのプロモーションを受信し得る。ユーザがジオ座標502に近づくにつれ、ライセンスは、ライセンス可能アイテムへのより多くのアクセスを与え得る。たとえば、ライセンス可能アイテムを囲む第2のエリア506において、ライセンスは、ユーザに、ライセンス可能アイテムのデモバージョンを許可することができ、ジオ座標502を囲む第1のエリア504において、ライセンスは、ユーザが第1のエリア504内に残っている間、ライセンス可能アイテムへの無制限アクセスを許可することができる。したがって、ライセンスによって与えられる、ライセンス可能アイテムへのアクセスのレベルは、ジオ座標502へのユーザの近接度に基づいて増し、かつ/または低下し得る。
【００５８】
たとえば、ユーザがサッカーゲームに参加し、ユーザがスタジアムの1マイル以内にいるとき、ユーザは、プレイするべきゲームについてのプロモーションを伴う通知を受信し得る。ユーザがスタジアムに、たとえば、スタジアムの100ヤード以内に近づくと、ユーザは、ゲームの無料デモバージョンを受信し得る。ユーザがスタジアムの中で動くと、ユーザがスタジアムおよび/またはスタジアムを囲むエリア内に留まっている間、ユーザは、ゲームへの無制限アクセスを受信し得る。ユーザがスタジアムを去ると、ゲームへのアクセスのレベルは低下し得る。したがって、ユーザがジオ座標502から離れると、ライセンスは、ライセンス可能アイテムへのアクセスのデモバージョンおよび/または元のレベルに戻り得る(たとえば、ユーザは、ライセンス可能アイテムを使うためにはそれを購入しなければならない)。
【００５９】
代替または追加として、ライセンスは、プロモーションのためにライセンス可能アイテムを使うための期間に基づいて、ライセンス可能アイテムへの様々なレベルのアクセスを認めることができ、たとえば、ユーザは、ゲームをプレイするのに支払わなければならなくなる前に、ゲームを30分間無料でプレイすることができることも諒解されたい。たとえば、ライセンス可能アイテムを使うための期間が満了すると、ライセンスは、期間が満了したときのライセンスのデモモードおよび/または元の条件に戻り得る。ライセンス可能アイテムへの様々なレベルのアクセスは、距離要素、たとえば、ユーザがジオ座標にどれだけ近く、および/または離れているかと、時間要素、たとえば、どれだけ長くユーザがプロモーション用のライセンス可能アイテムを使うことができるかの両方を含み得ることも諒解されたい。
【００６０】
一態様では、ある地理的エリアにユーザが接近すると、通知が送られ得る。たとえば、第2のエリア506への閾にユーザが接近したとき、第2のエリア506が近づいていることをユーザに通知する通知が送られ得る。通知は、他の通知の中でも、たとえば、アラーム、音、ワイヤレスデバイスのディスプレイ上のアイコン、通知メッセージ、アラート、または他のどの形のアプリケーション内メッセージ通信も含み得る。ユーザが第1のエリア504から第2のエリア506に動いている場合、通知は、ユーザが第2のエリア506に居続けた場合はライセンス可能アイテムへのアクセスレベルが低下し得ることをユーザに通知し得る。代替として、ユーザが第2のエリア506から第1のエリア504に動いている場合、通知は、ユーザが第1のエリア504に居続けた場合はライセンス可能アイテムへのアクセスレベルが増し得ることをユーザに通知し得る。
【００６１】
通知は、クリティカルマス要件を達成するのに必要とされるユーザ数、たとえば、ロケーション内のユーザの閾に関する情報も含み得る。たとえば、通知は、無料アプリケーションを勝ち取るためには、さらに20人のユーザが必要とされることをユーザに通知し得る。代替として、通知は、アプリケーションにアクセスする次の10人のユーザに対してのみ、無料アプリケーションが使用可能であることをユーザに通知し得る。通知は、より多くの人々がアプリケーションを試すのを奨励し、かつ/または他のユーザがプロモーションに関与するのを奨励するのに使うことができる。
【００６２】
ライセンス可能アイテムを使うことができるジオロケーションは、たとえば、ジオ座標から1マイル半径と数学的に決定することができ、または手作業で決定することができ、たとえば、管理者が、ジオロケーションの形状を描く。ここで図6を参照すると、ライセンス可能アイテムにアクセスするための、定義済み地理的エリアの例が示されている。一態様では、管理者が、ライセンス可能アイテムへのアクセスが許容され得る地理的エリア602を作成し得る。たとえば、ユーザが閾および/または境界604を超えると、ユーザは、地理的エリア602に入り、ライセンス可能アイテムへのアクセスを有することができる。地理的エリア602は、たとえば、変化し得る様々な形状の、動的に設定可能なエリアであり得ることを諒解されたい。したがって、地理的エリア602は、初期設定からは変わり得る。一態様では、ユーザが地理的エリア602に入る、たとえば、境界604を超えると、ユーザに通知が送られ得る。通知は、地理的エリア602内の使用可能なライセンス可能アイテム、および/または地理的エリア602内のライセンス可能アイテム用に使用可能なライセンスのリストを含み得る。
【００６３】
記載する態様の一変形形態は、ライセンス可能アイテム用のライセンスによって指定されたロケーション内のライセンス可能アイテムを使いながら、スポンサー付きコネクティビティを提供することを含み得る。スポンサー付きコネクティビティは、割引料金および/または無料でデータコネクティビティを提供することなど、データコネクティビティの価格を助成することを含み得る。たとえば、ネットワークプロバイダは、ユーザが書店に残っている間、出版社から本をダウンロードするための、ネットワークサービスの無制限使用を、書店内のユーザに提供し得る。したがって、ライセンス可能アイテムの出版社は、ネットワークプロバイダと申し合わせて、公開者および/またはネットワークプロバイダサービスのライセンス可能アイテムへのアクセスを促すことができる。さらに、スポンサー付きコネクティビティは、ライセンス可能アイテムにアクセスするユーザのクリティカルマスにも基づき得る。クリティカルマス閾に達すると、スポンサー付きコネクティビティは制限され得る。たとえば、ネットワークプロバイダは、カフェ内のプロモーション用ライセンス可能アイテムにアクセスする最初の12人のユーザに、プロモーション用ライセンス可能アイテムを試しながら、ネットワークサービスの使用を無料で提供し得る。
【００６４】
次に図7を参照すると、一態様では、ワイヤレスデバイス102は、本明細書で説明する構成要素および機能のうちの1つまたは複数に関連する処理機能を実行するためのプロセッサ80を含んでもよい。プロセッサ80は、1組もしくは複数組のプロセッサまたは1組もしくは複数組のマルチコアプロセッサを含んでもよい。その上、プロセッサ80は、統合処理システムおよび/または分散処理システムとして実装されてもよい。
【００６５】
ワイヤレスデバイス102は、プロセッサ80によって実行されているアプリケーションのローカルバージョンを記憶することなどを目的としたメモリ82をさらに含む。メモリ82は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できるタイプのメモリを含み得る。
【００６６】
さらに、ワイヤレスデバイス102は、本明細書で説明するように、ハードウェア、ソフトウェア、およびサービスを利用して、1つまたは複数の相手との通信を確立し、維持することを行う通信構成要素84を含み得る。通信構成要素84は、ワイヤレスデバイス102上の構成要素同士間、ならびにワイヤレスデバイス102と、通信ネットワーク上に位置するデバイスおよび/またはワイヤレスデバイス102に直列もしくはローカルに接続されたデバイスなどの外部デバイスとの間の通信を伝え得る。たとえば、通信構成要素84は、1つまたは複数のバスを含んでもよく、外部デバイスとのインターフェースをとるように動作可能な送信機および受信機にそれぞれが関連する送信チェーン構成要素および受信チェーン構成要素をさらに含んでもよい。
【００６７】
さらに、ワイヤレスデバイス102は、本明細書で説明する態様に関連して使用される情報、データベース、およびプログラムの大容量記憶を可能にするハードウェアおよび/またはソフトウェアの任意の適切な組合せであり得るデータ記憶装置86をさらに含んでもよい。たとえば、データ記憶装置86は、プロセッサ80によって現在実行されていないアプリケーションのためのデータリポジトリであり得る。
【００６８】
ワイヤレスデバイス102は、ワイヤレスデバイス102のユーザからの入力を受信するように動作可能であり、ユーザへの提示のための出力を生成するようにさらに動作可能なユーザインターフェース構成要素88をさらに含み得る。ユーザインターフェース構成要素88は、限定はしないが、キーボード、ナンバーパッド、マウス、タッチセンシティブディスプレイ、ナビゲーションキー、ファンクションキー、マイクロフォン、音声認識構成要素、ユーザからの入力を受信することが可能な任意の他の機構、またはそれらの任意の組合せを含む1つまたは複数の入力デバイスを含み得る。さらに、ユーザインターフェース構成要素88は、限定はしないが、ディスプレイ、スピーカ、触覚フィードバック機構、プリンタ、ユーザに出力を提示することが可能な任意の他の機構、またはそれらの任意の組合せを含む1つまたは複数の出力デバイスを含み得る。
【００６９】
ワイヤレスデバイス102は、ワイヤレスデバイス102のロケーションを検出するために動作可能なロケーション構成要素10も含み得る。さらに、ワイヤレスデバイス102は、ワイヤレスデバイス102のロケーションにおける使用可能なライセンス可能アイテムを検出するために動作可能なライセンス可能アイテム検索構成要素12を含み得る。ワイヤレスデバイス102は、ワイヤレスデバイス102のロケーションにおいて使用可能であるライセンス可能アイテムを要求するように動作可能なライセンス可能アイテム要求構成要素14をさらに含み得る。さらに、ワイヤレスデバイス102は、ライセンス可能アイテムを他のユーザと共有するように動作可能なライセンス可能アイテム共有構成要素16も含み得る。一態様では、インターフェース構成要素88は、ロケーション構成要素10、ライセンス可能アイテム検索構成要素12、ライセンス可能アイテム要求構成要素14、およびライセンス可能アイテム共有構成要素16の動作に対応するメッセージを送信および/または受信することができる。さらに、プロセッサ80は、ロケーション構成要素10、ライセンス可能アイテム検索構成要素12、ライセンス可能アイテム要求構成要素14、およびライセンス可能アイテム共有構成要素16を実行することができ、メモリ82は、これらを記憶することができる。
【００７０】
次に、図8を参照すると、一態様による例示的なサーバ106が示されている。サーバ106は、アクセスネットワーク104に関するネットワークコネクティビティ問題を管理する。サーバ106は、本明細書で説明する構成要素および機能のうちの1つまたは複数に関連する処理機能を実行するためのプロセッサ構成要素70を含む。プロセッサ構成要素70は、プロセッサまたはマルチコアプロセッサの単一セットまたは複数セットを含んでもよい。その上、プロセッサ構成要素70は、統合処理システムおよび/または分散処理システムとして実装されてもよい。
【００７１】
サーバ106は、プロセッサ構成要素70によって実行されているアプリケーションのローカルバージョンを記憶することなどを目的としたメモリ72をさらに含む。メモリ72は、ランダムアクセスメモリ(RAM)、読取り専用メモリ(ROM)、およびそれらの組合せを含み得る。
【００７２】
さらに、サーバ106は、本明細書で説明するように、ハードウェア、ソフトウェア、およびサービスを利用して、1つまたは複数の相手との通信を確立し維持することを可能にする通信構成要素74を含む。通信構成要素74は、サーバ106上の構成要素同士間、ならびにサーバ106と、通信ネットワーク上に位置するデバイスおよび/またはサーバ106に直列もしくはローカルに接続されたデバイスなどの外部デバイスとの間の通信を伝え得る。
【００７３】
さらに、サーバ106は、本明細書で説明する態様に関連して使用される情報、データベース、およびプログラムの大容量記憶を可能にするハードウェアおよび/またはソフトウェアの任意の適切な組合せであり得るデータ記憶装置76をさらに含んでもよい。たとえば、データ記憶装置76は、現在実行されていないアプリケーションのためのデータリポジトリであり得る。
【００７４】
サーバ106は、1つまたは複数のワイヤレスデバイスにライセンス可能アイテムを配布するように動作可能なライセンス可能アイテム配布構成要素20も含み得る。さらに、サーバ106は、ライセンス可能アイテム配布構成要素20によって配布されるライセンス可能アイテムの使用および/または配布を支配するライセンスを生成するように動作可能なライセンスジェネレータ構成要素26を含み得る。サーバ106は、1つまたは複数のワイヤレスデバイスへの1つまたは複数の通知を生成するように動作可能な通知構成要素34も含み得る。一態様では、通信構成要素74は、ライセンス可能アイテム配布構成要素20、ライセンスジェネレータ構成要素26、および通知構成要素34の動作に対応するメッセージを送信および/または受信することができる。さらに、プロセッサ70は、ライセンス可能アイテム配布構成要素20、ライセンスジェネレータ構成要素26、および通知構成要素34を実行することができ、メモリ72はこれらを記憶することができる。
【００７５】
ここで図9を参照すると、地理的エリアに特有のライセンス可能アイテムに、ワイヤレスデバイスを介してアクセスするように構成されたシステム900が示されている。たとえば、システム900は、送信機、モバイルデバイスなどの中に少なくとも部分的に存在してもよい。システム900は、プロセッサ、ソフトウェア、またはそれらの組合せ(たとえば、ファームウェア)によって実施される機能を表す機能ブロックであり得る機能ブロックを含むものとして表されていることを諒解されたい。システム900は、ライセンス可能アイテムへのアクセスを容易にする電気的構成要素の論理的グルーピング902を含む。たとえば、論理的グルーピング902は、ワイヤレスデバイスの第1のロケーションに対応する第1の地理的エリア内で使用可能な少なくとも1つのライセンス可能アイテムへのアクセスを取得するための構成要素904を含み得る。一態様では、上で説明したように、ライセンス可能アイテムへのアクセスの取得は、クリティカルマス要件、たとえば、ライセンス可能アイテムへのアクセスの取得に先立って達しなければならない一定の閾に基づき得る。さらに、論理的グルーピング902は、ライセンス可能アイテムをダウンロードするための構成要素906であって、ライセンス可能アイテムが、ライセンス可能アイテムを配布する権利をワイヤレスデバイスに与えるライセンスに関連付けられた、構成要素906を含み得る。論理的グルーピング902は、配布する権利を使って、ライセンス可能アイテムの仮想コピーを、ワイヤレスデバイスの第2のロケーションに対応する第2の地理的エリア内に残すための構成要素908をさらに含み得る。そのような態様において、ライセンス可能アイテムの仮想コピーはライセンスに関連付けられ、ライセンスはさらに、第2の地理的エリア内のライセンス可能アイテムの仮想コピーにアクセスし、ライセンス可能アイテムの仮想コピーを再配布する権利を、別のワイヤレスデバイスに与える。さらに、システム900は、電気的構成要素904、906、および908に関連する機能を実行するための命令を保持するメモリ910を含み得る。これらの電気的構成要素904、906、および908の1つまたは複数は、メモリ910の外部にあるものとして示されているが、メモリ910内に存在してもよいことを理解されたい。
【００７６】
次に図10を参照すると、地理的エリア内でライセンス可能アイテムを配布するように構成されたシステム1000が示されている。たとえば、システム1000は、送信機、モバイルデバイスなどの中に少なくとも部分的に存在してもよい。システム1000は、プロセッサ、ソフトウェア、またはそれらの組合せ(たとえば、ファームウェア)によって実施される機能を表す機能ブロックであり得る機能ブロックを含むものとして表されていることを諒解されたい。システム1000は、ライセンス可能アイテムの配布を容易にする電気的構成要素の論理的グルーピング1002を含む。たとえば、論理的グルーピング1002は、地理的エリア内のワイヤレスデバイスのロケーションを受信するための構成要素1004を含み得る。さらに、論理的グルーピング1002は、地理的エリア内の1つまたは複数のライセンス可能アイテムの可用性をワイヤレスデバイスに通知するための構成要素1006を備え得る。さらに、論理的グルーピング1002は、1つまたは複数のライセンス可能アイテムのうちの少なくとも1つにアクセスするための要求を受信するための構成要素1008を含み得る。論理的グルーピング1002は、ライセンスが1つまたは複数のライセンス可能アイテムに関連付けられているかどうかを判断するための構成要素1010も含み得る。論理的グルーピング1002は、ライセンスに基づいて、ライセンス可能アイテムへのアクセスを与えるための構成要素1012をさらに含み得る。さらに、システム1000は、電気的構成要素1004、1006、1008、1010、および1012に関連する機能を実行するための命令を保持するメモリ1014を含んでもよい。電気的構成要素1004、1006、1008、1010、および1012は、メモリ1014の外部にあるものとして示されているが、これらの電気的構成要素1004、1006、1008、1010、および1012のうちの1つまたは複数は、メモリ1014内に存在し得ることを理解されたい。
【００７７】
本出願で使用される場合、「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションと、そのコンピューティングデバイスの両方が、構成要素であり得る。1つまたは複数の構成要素が、プロセスおよび/または実行スレッド内に常駐することができ、1つの構成要素が、1つのコンピュータ上に配置されてよく、かつ/または2つ以上のコンピュータ間に分散されてよい。さらに、これらの構成要素は、様々なデータ構造を記憶している様々なコンピュータ可読媒体から実行することができる。これらの構成要素は、信号によって、ローカルシステム、分散システム内の別の構成要素と対話し、かつ/またはインターネットなどのネットワークを介して他のシステムと対話する1つの構成要素からのデータのような1つまたは複数のデータパケットを有する信号に従うことなどによって、ローカルプロセスおよび/またはリモートプロセスによって通信し得る。
【００７８】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、またはユーザ機器(UE)と呼ばれることもある。ワイヤレス端末は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスであり得る。その上、様々な態様が、基地局に関連して、本明細書で説明される。基地局は、ワイヤレス端末と通信するために使用されてもよく、アクセスポイント、ノードB、またはある他の用語で呼ばれることもあり得る。
【００７９】
その上、「または」という用語は、排他的な「または」ではなく、包括的な「または」を意味するものとする。すなわち、別段の規定がない限り、または文脈から明白でない限り、「XはAまたはBを使用する」という語句は、自然な包括的置換のいずれかを意味するものとする。すなわち、「XはAまたはBを使用する」という語句は、以下の例のいずれかによって成立する。XはAを使用する。XはBを使用する。XはAとBの両方を使用する。さらに、本出願および添付の特許請求の範囲で使用する冠詞「a」および「an」は、別段の規定がない限り、または単数形を示すことが文脈から明白でない限り、概して「1つまたは複数」を意味するものと解釈すべきである。
【００８０】
本明細書で説明する技法は、CDMA、TDMA、FDMA、OFDMA、SC-FDMAおよび他のシステムなど、様々なワイヤレス通信システムに使用され得る。「システム」および「ネットワーク」という用語は、しばしば互換的に使用される。CDMAシステムは、Universal Terrestrial Radio Access (UTRA)、cdma2000などの無線技術を実装することができる。UTRAは、Wideband-CDMA(W-CDMA)およびCDMAの他の変形形態を含む。さらに、cdma2000は、IS-2000規格、IS-95規格、およびIS-856規格を対象とする。TDMAシステムは、Global System for Mobile Communications(GSM(登録商標))などの無線技術を実装することができる。OFDMAシステムは、Evolved UTRA(E-UTRA)、Ultra Mobile Broadband(UMB)、IEEE802.11(Wi-Fi)、IEEE802.16(WiMAX)、IEEE802.20、Flash-OFDM(登録商標)などの無線技術を実装し得る。UTRAおよびE-UTRAは、Universal Mobile Telecommunication System(UMTS)の一部である。3GPP Long Term Evolution(LTE)は、ダウンリンク上ではOFDMAを採用し、アップリンク上ではSC-FDMAを採用するE-UTRAを使用するUMTSのリリースである。UTRA、E-UTRA、UMTS、LTEおよびGSM(登録商標)は、「3rd Generation Partnership Project」(3GPP)と称する組織からの文書に記載されている。さらに、cdma2000およびUMBは、「3rd Generation Partnership Project 2」(3GPP2)と称する組織からの文書に記載されている。さらに、そのようなワイヤレス通信システムは、不対無認可スペクトル、802.xxワイヤレスLAN、BLUETOOTH(登録商標)および任意の他の短距離または長距離ワイヤレス通信技法をしばしば使用するピアツーピア(たとえば、モバイルツーモバイル)アドホックネットワークシステムをさらに含み得る。
【００８１】
いくつかのデバイス、構成要素、モジュールなどを含み得るシステムに関して、様々な態様または特徴が提示される。様々なシステムが、追加のデバイス、コンポーネント、モジュールなどを含んでもよく、かつ/または各図に関連して論じられるデバイス、コンポーネント、モジュールなどのすべてを含むとは限らないことを、理解および諒解されたい。これらの手法の組合せも使用され得る。
【００８２】
本明細書で開示する実施形態に関して説明する様々な例示的な論理、論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲート論理回路もしくは個別トランジスタ論理回路、個別ハードウェア構成要素、または、本明細書で説明する機能を実行するように設計されたそれらの任意の組合せによって、実装または実行されてもよい。汎用プロセッサはマイクロプロセッサであってよいが、代替として、汎用プロセッサは、任意の従来のプロセッサ、コントローラ、マイクロコントローラ、または状態機械であってもよい。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、または、任意の他のそのような構成として実装され得る。さらに、少なくとも1つのプロセッサは、上述のステップおよび/または動作の1つまたは複数を実行するように動作可能な、1つまたは複数のモジュールを含み得る。
【００８３】
さらに、本明細書で開示した態様に関して説明した方法またはアルゴリズムのステップおよび/または動作は、直接ハードウェアで実施するか、プロセッサによって実行されるソフトウェアモジュールで実施するか、またはその2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に存在し得る。例示的な記憶媒体は、プロセッサが記憶媒体から情報を読み取り、記憶媒体に情報を書き込み得るようにプロセッサに結合され得る。代替として、記憶媒体はプロセッサと一体であり得る。さらに、いくつかの態様では、プロセッサおよび記憶媒体はASIC中に存在し得る。さらに、ASICはユーザ端末中に存在し得る。代替として、プロセッサおよび記憶媒体は、ユーザ端末中に個別構成要素として存在し得る。さらに、いくつかの態様では、方法またはアルゴリズムのステップおよび/または動作は、コンピュータプログラム製品に組み込まれ得る、機械可読媒体および/またはコンピュータ可読媒体上のコードおよび/または命令の1つまたは任意の組合せ、あるいはそのセットとして存在し得る。
【００８４】
1つまたは複数の態様では、説明する機能は、ハードウェア、ソフトウェア、ファームウェア、またはそれらの任意の組合せで実装され得る。各機能は、ソフトウェアで実装される場合、1つまたは複数の命令またはコードとしてコンピュータ可読媒体上に記憶されるか、または、コンピュータ可読媒体上で送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送または記憶するために使用でき、コンピュータによってアクセスできる、任意の他の媒体を含み得る。また、いかなる接続もコンピュータ可読媒体と呼ばれ得る。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー(登録商標)ディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読媒体の範囲内に含めるべきである。
【００８５】
上記の開示は、例示的な態様および/または実装形態について論じたが、添付の特許請求の範囲によって定義される、説明した態様および/または実装形態の範囲から逸脱することなく、様々な変更および改変を本明細書で行うことができることに留意されたい。さらに、説明した態様および/または実装形態の要素は、単数形で説明または請求されていることがあるが、単数形に限定することが明示的に述べられていない限り、複数形が企図される。さらに、任意の態様および/または実装形態の全部または一部は、別段に記載されていない限り、任意の他の態様および/または実装形態の全部または一部とともに利用され得る。
【符号の説明】
【００８６】
10  ロケーション構成要素
12  ライセンス可能アイテム検索構成要素
14  ライセンス可能アイテム要求構成要素
16  共有構成要素、ライセンス可能アイテム共有構成要素
18  拡張現実構成要素
20  ライセンス可能アイテム配布構成要素
22  ライセンス可能アイテム
24  ライセンス
26  ライセンスジェネレータ構成要素
28  ライセンスパラメータ
30  ロケーション構成要素
32  継続時間構成要素
33  閾判定器
34  通知構成要素
36  通知
70  プロセッサ構成要素、プロセッサ
72  メモリ
74  通信構成要素
76  データ記憶装置
80  プロセッサ
82  メモリ
84  通信構成要素
86  データ記憶装置
88  ユーザインターフェース構成要素、インターフェース構成要素
100  コネクティビティシステム
102  ワイヤレスデバイス
104  アクセスネットワーク
106  サーバ、コンピューティングデバイス
108  ロケーション
110  ロケーション
204  ライセンス可能アイテムマーカ
502  ジオ座標
504  第1のエリア
506  第2のエリア
508  第3のエリア
602  地理的エリア
604  境界
900  システム
902  論理的グルーピング
910  メモリ
1000  システム
1002  論理的グルーピング
1014  メモリ
【図１】
0005674957.tif 000002
【図２】
0005674957.tif 000003
【図３】
0005674957.tif 000004
【図４】
0005674957.tif 000005
【図５】
0005674957.tif 000006
【図６】
0005674957.tif 000007
【図７】
0005674957.tif 000008
【図８】
0005674957.tif 000009
【図９】
0005674957.tif 000010
【図１０】
0005674957.tif 000011